(57)【要約】［課題］  ワイシャツを着てネクタイを着用している時少くとも直立姿勢では外観に出ずネクタイの柄とのマッチングについての気づかい不要で、ネクタイやワイシャツへの着脱はネクタイやワイシャツを傷づけること無く一体のまゝでできて、着用中に前傾姿勢をとった時ネクタイが大きく前方に垂れ下がるなど上半身を傾けた方向にネクタイが身体から離れる距離（振れ量）が抑制されるネクタイどめを提供。［解決手段］  ネクタイのループ（別名  小剣通し）をワイシャツの前立、または前釦、前釦留糸の束、前釦孔に拘束することにより提供。【選択図】  図７１
2004230133.tif 000002
【特許請求の範囲】
【請求項１】
ワイシャツとネクタイを着用した時に用いられるネクタイをとめる一体に組立てられた用具に於て、ネクタイの大剣の裏面に両端を固定され大剣の裏面との間にネクタイの小剣の巾が入る横巾をもつ部材（以下ループと称する）を、ワイシャツの前立（まえたてと読み、前会わせ部外縁沿いの、前釦孔の在る外縁と前釦孔の距離の２倍の幅をもつ帯域の布部の名称）、前釦孔、前釦、前釦留糸（以下これらをあわせて前立部分と称する）のいずれかに、着脱の時にネクタイのループ，ネクタイ，ワイシャツのいずれにも加工を加えることなく拘束することを特徴とするネクタイどめ。
【請求項２】
ワイシャツの前立部分に、着脱可能に拘束できる両端の着脱取付部と、両着脱取付部を連結するつなぎ部とより成り、少くとも片方の着脱取付部とつなぎ部はネクタイのループを潜り得て、かつつなぎ部はループの相対的な上下方向の移動を妨げない形状に形成されていることを特徴とする請求項１に記載のネクタイどめ。
【請求項３】
ワイシャツとネクタイを着用した時に用いられるネクタイをとめる用具において、一端がワイシャツの前立に固定され、他端はワイシャツの前立部分に着脱可能に拘束でき、両端はつなぎ部で連結され、該他端とつなぎ部はネクタイのループを潜り得て、かつ、つなぎ部はループが相対的な上下方向の移動を妨げない形状に形成されていることを特徴とする請求項１に記載のネクタイどめ。
【請求項４】
ワイシャツの前立部分に着脱可能に拘束できる両端の着脱取付部と、両着脱取付部を連結するつなぎ部と、つなぎ部に移動可能に拘束されたネクタイのループに着脱可能に固定できるループ用着脱取付部とより成り、つなぎ部はループ用着脱取付部の上下動を妨げない形状に形成されていることを特徴とする請求項１に記載のネクタイどめ。
【請求項５】
ワイシャツの前立の布の部分の、少くとも前釦をはめたときの前釦の無いところであれば着脱可能に固定できる前立用着脱取付部と、ネクタイのループに着脱可能に固定できるループ用着脱取付部と、前立用着脱取付部とループ用着脱取付部を連結するつなぎ部とより成ることを特徴とする請求項１に記載のネクタイどめ。
【請求項６】
ワイシャツとネクタイを着用した時に用いられるネクタイをとめる一体に組立てられた用具に於て、一端がネクタイのループか大剣の裏面に固定された固定部と、ワイシャツの前立部分に着脱可能に拘束できる前立用着脱取付部と両取付部を連結するつなぎ部とより成ることを特徴とする請求項１に記載のネクタイどめ。
【発明の詳細な説明】
【０００１】
［発明の属する技術分野］
本発明は、ワイシャツとネクタイを装着したときのネクタイどめに関する。
【０００２】
［従来の技術］
図１７に示すネクタイ４３とワイシャツ５３を外側より見える剛体板３８とバネで押圧する４０ではさみつける方式では、端４４が装着時は図１８の３８のようにネクタイ４３に対し水平でも、装着時はかがみこみ気味の姿勢となり易くワイシャツがたるみ気味のため、装着後あおむいたりすると首への固定部４６がネクタイを引張り上げるとき、ワイシャツはたるみがあり、４０の摩擦力が強いネクタイどめの構造である為ネクタイピンの４０部分はワイシャツとずれないで、一方上にひかれるネクタイのテーパとのせりで図１８の４４は図１９の４５の位置に動き、それに気づかずみっともないまゝでいるケースが多いという問題がある。
【０００３】
この場合、用心して胸をはってネクタイピンでとめると上記の心配はないが、よくあるやゝうつむき気味の姿勢でワイシャツに対するネクタイの上下動が制約されている為にネクタイがたるみ、これまた見かけが悪い。
【０００４】
またこの方式のネクタイピンは、ネクタイとセットで見られて、ネクタイとのデザイン上のマッチングやＴＰＯに気づかいが必要で、この点からも使いにくさがあり最近着用が減っている。
【０００５】
図３０の形式は、キャッチ３５をチェーンで掛輪２につないだもので、装飾３６についたピン３７をネクタイに突き差した上で該キャッチに差込むのでネクタイを傷つけほつれさせる事がある上こわれ易くもあり、更に［０００４］と同じことが言え、２点に分かれるので一方を紛失もし易い。また装飾３６とキャッチ３５を組合せた状態の重心点Ｗが、３５の中央付近にあり、面Ｂを水平にする向きのトルクがネクタイにかかり、特にやわらかいネクタイでは部分的にあお向き傾向の部分が装飾３６付近に生じて外見上みっともないという欠点がある。
【０００６】
図３８の１１２の両端のカン１１１，１１３をつなぐチェーン１１４にネクタイ４３を差込む方式は、テーパを持つ大剣の外縁の巾と１１２の巾がほぼ一致する場所に１１２をつける必要が外観上あり、その上［０００４］と同じ事も言える。
【０００７】
［発明が解決しようとする課題］
最近ネクタイどめをつけないケースが増加しているが、頭を下げる等前傾姿勢をとった時にはネクタイは特に背広の釦をかけてないと大きく前に垂れ下がることとなり、また上半身を横に傾けたときネクタイが横に振れてワイシャツの前釦が正面から見て数多く見えたり見栄えが良くない。それに対して、少くとも直立姿勢の時には外観に出ず、従ってネクタイの柄とのマッチングに気づかいは無用で、ネクタイを傷つけることも無く、着脱の際も一体のまゝで可能で一部を紛失する恐れも無く、装着の位置決めが容易、上を向いてあおむいた後でもネクタイがたるむこと無く、背広の釦をかけていなくてもあるいはワイシャツ姿であっても前傾をした時にネクタイが大きく前に垂れ下がることを妨げ、あるいは上半身を横に傾けた時ネクタイの下からワイシャツの前釦が正面から見て数多く見えてくるのを軽減または無くせるようにネクタイの横への振れ巾をも抑制して、前方向、横方向のみならずワイシャツから離れるどの方向への振れも抑制できて、その一方でネクタイの上下動が限られる為に発生するネクタイのたるみも抑制され、さらにはネクタイへの一体化や後からつけるリフォームとかワイシャツとの一体化も可能なネクタイどめを提供することにある。
【０００８】
［問題を解決するための手段］
本発明は、図２９に例示するネクタイ２９の裏２６にあるネクタイの小剣３０を差込み大剣３１と束ねる為に設けられているループ２８（別名小剣通しとも呼ばれ、ブランド札２７と兼ねる例も多い）を、ワイシャツの前立（前釦孔が縦に並ぶワイシャツの前会わせ外縁部沿いの帯状部分）の中央付近、前釦孔，はめられた前釦、前釦留糸の束（本書では一括し前立部分と称す）に拘束する考案によって、ネクタイの大剣のワイシャツの前立に対する相対的な動きのうち、上下方向のずれはある程度迄自由であり、えり首を支点としての前、横等への振れはある範囲に限定され、かつネクタイの表に出る部分は体の正面より見た時に無く、従ってネクタイの柄とのファッション上のマッチングに気を使う必要はないのでどのネクタイにも共用でき、ネクタイ面を傷つけることもなく、装着位置決めが楽で簡単な構造で、一部紛失の恐れも無いという上記目的が達成されることを見出し、本発明を完成させるに至った。
【０００９】
即ち、本発明の第１の発明によれば、ネクタイのループがワイシャツの前立部分に拘束されていることを特徴とする、一体に組立てられたまゝで取付け取外しが可能で表面に出ない構成のネクタイどめが提供される。
【００１０】
また、本発明の第２の発明によれば第１の発明に於て、ループを潜り両端が前立部分に着脱可能に形成されたことを特徴とするネクタイどめが提供される。
【００１１】
さらに加うるに、ワイシャツ上に装着するネクタイをとめる用具において、ワイシャツの前会わせ部の釦、留糸、釦孔（以下前釦・留糸・前釦孔と称す）の中同種ならどこにも着脱可能な取付部が二つと、二つの取付部をつなぐつなぎ部とで構成して、取付部の少なくとも一方とつなぎ部はネクタイのループを潜り得て、かつ、つなぎ部はループが相対的に上下方向に移動することを妨げない形状であり、上側の前釦・糸・前釦孔に取付ける取付部（以下上側取付部と称する）を前釦・糸・前釦孔の最下位のもの以外から選んだものに取付けて、下側に取付ける取付部（以下下側取付部と称する）を、上側取付部を取付けた前釦・糸・前釦孔の下方に位置する前釦・糸・前釦孔に取付けたとき、各々の取付部が取付けられた前釦・糸・前釦孔にひっかかってとめられる点（以下取付部の係留点と称する）間の展開長さ（以下係留点間隔と称する）が、前釦・糸・前釦孔が一直線に並ぶようにワイシャツを引きのばしたときにワイシャツにたるみを生じさせない寸法以上で、また隣接する前釦の中心間の距離（以下前釦ピッチと称する）の３０％をその寸法に加えた寸法以下の範囲内に形成されているか、あるいはその範囲内のある長さに調節可能とした事を特徴とする請求項２に記載のネクタイどめも提供される。
【００１２】
さらに加うるに、上記前釦ピッチが８ｃｍ及至１０ｃｍのワイシャツに対して、係留点間隔を１０ｃｍ〜１０４ｍｍとして調節無しでも共用を可能にしたことを特徴とする［００１１］に記載のネクタイどめも提供される。
【００１３】
さらに加うるに、［００９６］に説明するように、係留点間隔を８５ｍｍから１０５ｍｍまで１ｃｍとびにシリーズとしてそろえることにより、ワイシャツの前釦のピッチの大半を含む７５ｍｍから１０５ｍｍ迄のワイシャツに選択使用で対応することで、［００１１］に記載のものを単独に使用する場合よりもさらに前振れや横振れを抑えての着用が可能なネクタイどめのセットが提供される。
【００１４】
さらに加うるに、ワイシャツ上に装着するネクタイをとめる用具において、ワイシャツの前会わせ部の釦，釦の留糸，釦孔（以下前釦・留糸・前釦孔と称する）の中、同一種類のものに対してはどこの位置のものにも着脱が可能な取付部が一つと、前釦を連ねる線（以下前釦ピッチ線と称する）上で前釦または釦の留糸のいずれも存在しない部分のワイシャツの前立を挟みつけて着脱可能に取付けられてかつ前立の外縁にて行き止まる迄差し込めて、前釦ピッチ線を含みその左右にわたり前立を挟みつけた圧接力により前立に固定される取付部（以下クリップ型取付部と称する）がもう一つと、両者をつなぐつなぎ部とから成り、クリップ型取付部はつなぎ部に対し首振り可能に連結され、つなぎ部と少くとも一方の取付部はネクタイのループを潜り得てかつつなぎ部はループが相対的に上下動することを妨げない形状で、前釦・留糸・前釦孔取付部の係留点とクリップ型取付部の連結部間の距離（以下連結間距離と称する）が前釦ピッチ以上で、前釦ピッチの１．５倍以下の範囲のある長さに形成，あるいは調節可能に構成されていることを特徴とする請求項２に記載のネクタイどめも提供される。
【００１５】
さらに加うるに、ワイシャツに装着するネクタイをとめる用具において、クリップ型取付部を二つと、二つの取付部の各連結部に連結するつなぎ部とより成り、少くとも一方のクリップ型取付部とつなぎ部はネクタイのループを潜り得て、かつつなぎ部はループが相対的に上下動することを妨げない形状に形成されており、二つのクリップ型取付部の連結部間の距離（以下クリップ連結部間距離と称する）がループの上下方向の巾の２倍以上で、前釦ピッチの１、５倍以下の長さに形成され、あるいは調整可能に構成されていることを特徴とする請求項２に記載のネクタイどめも提供される。
【００１６】
また、本発明の第３の発明によれば、一端がワイシャツの前立と一体に固定され、つなぎ部分を経て連なる他端は、ループを潜らせた後、ワイシャツの前立部分に着脱可能に拘束できて、つなぎ部はループが相対的に上下動することを妨げない形状に形成されており、ワイシャツに対するネクタイの相対的上下移動も可能でありながら、ネクタイの前垂れや横ぶれを一定の範囲に抑制できることを特徴とするネクタイどめが、ワイシャツと一体のものとして提供され、使用者はこのワイシャツを購入すれば、そのまゝで本発明の効果を享受できる。
【００１７】
また、本発明の第４の発明によれば、ネクタイのループに着脱可能に固定できる部材が、両端が前立部分に着脱可能に拘束された部材に拘束され案内され上下動できることを特徴とするネクタイどめが提供され、請求項２の場合よりもネクタイの横ぶれがループの横巾の半分程さらに抑えられるネクタイどめが提供される。
【００１８】
さらに加うるに、ネクタイのループを挟みつけてループの縁で行き止まる迄差し込んだときループを挟みつける圧接部がループの上下方向の巾の中にありその圧接力によってループに着脱可能に固定でき、且つなぎ部に拘束され案内されていることによりつなぎ部にそっての移動が可能に形成され、かつその拘束は着脱可能な部材（以下ループクリップ滑動部材と称する）を備えているつなぎ部と、その両端にある前立部分へ着脱可能な二つの取付部より成ることを特徴とする請求項４に記載のネクタイどめで、ループクリップ滑動部材を外して使用すれば、請求項２に記載のネクタイどめとして、再度付加すれば請求項４に記載のネクタイどめとできる転換自在なネクタイどめが提供される。なお、ループクリップ滑動部材のネクタイのループとの着脱は、つなぎ部と一体に組立てられたまゝで行われるものが提供される。
【００１９】
また、本発明の第５の発明によれば第１の発明に於て、一体に組立てられた状態で、ワイシャツやネクタイに加工を加えることなく、一端が前立の布の部分に着脱可能に固定され、他端がネクタイのループに着脱可能に固定されることを特徴とするネクタイどめが提供される。
【００２０】
また、ワイシャツ前立の少くとも前釦の無い場所には上下方向のどこにでも横からの出し入れにより着脱可能な前立クリップ部材と、ネクタイのループに縦方向からの出し入れにより着脱可能で、ループ面が垂直なときループを圧接する部分の中心点より下方頂角６０度の円錐内に重心が収まる状態でループに圧接固定できるループクリップ部材と、両クリップ部材を連結する可撓性を有するつなぎ部材とより成り、つなぎ部材は、両クリップの各圧接部中心点間の距離が、横方向は、ループのある場所の大剣の横巾から前釦の径を差し引いた寸法の１／２以内を目安としての左右各々２５ｍｍ（１インチ）以内に制約され、縦方向は上半身の前後屈時のワイシャツの最上部の前釦の上下動範囲の１／３以上を目安としての上下動巾２０ｍｍ以上が確保される構造で、かつ、ループクリップ部材からつなぎ部材を経て前立クリップ部材に至る間のどこかは回転自在に連結されていることを特徴とする請求項５に記載のネクタイどめも提供される。
【００２１】
さらに加うるに、加撓性があり屈伸時Ｖ字形になるつなぎ部材が、前立クリップ部材に、前立を圧接する圧接部分の中央を通る垂線をはさみ圧接部分の中央を通る水平線かそれより下方に並ぶ２個所の連結点で連結され、Ｖ字の頂点付近においてはループクリップ部材が回転可能に連結されていて、ループクリップ部材の連結点の真近かにあるループ圧接部中心点の横方向の振れ巾が、その前方向への振れ巾より小さいという異方性をもつことを特徴とする請求項５に記載のネクタイどめが提供される。
【００２２】
さらには、一端が前立に着脱可能に固定でき、他端がネクタイのループを潜りループを内包して拘束しながら、つなぎ部の両端の中間あるいは該一端に着脱可能に拘束できることを特徴とする請求項１に記載のネクタイどめが提供される。
【００２３】
また、本発明の第６の発明によれば、ネクタイの前振れや横振れを一定の範囲に抑制できることを特徴とするネクタイどめが、ネクタイと一体のものとして提供され、ネクタイと一体でクリーニングも可能で、使用者はこのネクタイを購入すれば、それだけで本発明の効果を享受できるネクタイどめが提供される。
【００２４】
［発明の実施の形態］
図１は掛輪２の孔３にＣカン４によりチェーン１をつなぎ、チェーンの他端のＣカン７をバー状のとめ具（以下バー式とめ具）５の孔６につなげたもので、ネクタイをしめたとき、図２９のループ２８が位置するワイシャツの前立（まえたて）上の対応位置の直近下方の前釦孔にバー式とめ具５をさしこみ、掛輪２をループの下から上に通してから直近上方の前釦にかけるものである。９０は掛輪の係留点であり、９１はバー式とめ具の係留点である。
この状態で、上を向いたり、かがみこんだりして前立に対し大剣が相対的に上下してもある範囲上下方向の拘束をうけず、しかもかがんだとき前立より遠ざかる距離はある範囲に制約され、さらに、体をある程度以上に横に傾けない限り、ネクタイどめ自体は大剣の陰にかくれて正面より見えることなく、また大剣をいためる恐れもない。
なお、図１６の５３が前立であり、前釦４７，前釦とめ糸４８，前釦孔４９が縦一列に設けられており、図１５の前釦ピッチＰ，前釦径Ｄ，前釦厚さＧ，前釦とめ糸の束の巾Ｅ，縦に割れた前釦孔の縦巾Ｆはそれぞれ一定で、どれかに取付けられるものは、同種であればどれにでも取付けられる。
【００２５】
図２０でワイシャツの襟首４６と直立姿勢下ではネクタイも前立もベルト迄垂直線上とし、図３での係留点を９１，９２、ループ位置３６，図３０のキャッチ３５と鋲３７をもつ差しこみ３６とが掛輪２の孔３とチェーン３２で結ばれた方式のキャッチ位置５３，その時のネクタイが４６から大剣の先３７迄垂れているとしたとき、ベルト位置で腰を折り襟首が４７に移動したとすると、ネクタイどめなしではネクタイは４７から５２に垂れ、図３０の方式では掛輪をかけた釦が４８に、キャッチは５３から５４に、ネクタイは４７から５４を経て５５に、図３の場合で、バー式とめ具の係留点間隔が前釦のピッチと同じで、係留されているチェーン１１がたるみなく張っている場合、係留点９１は４９に移動し、係留点９２は４８に移動して１１で拘束されているループは３６から５０に、ネクタイは４７から５０を経て５１に近い姿となり、背を丸めない場合図２０の５２と５５と５１という大剣先端の体からの距離の差が生じる例を示す。
【００２６】
図３の実施例は、図１で上部の掛輪を下部と同じバー式とめ具８としたもので、孔９にかかるカン１０を経てチェーン１１につながっている。
バー式とめ具８は、ワイシャツの前釦が掛けられている前立の前釦孔の留糸の束と前釦孔の縁との間の空き部分に、カン１０との接点を連結点としてバー式とめ具８に連結されているつなぎ部たるチェーン１１を併って差し込まれ、前釦孔の縁にバー式とめ具とチェーン１１の交点９２が引掛かって係留点となり係留されるものであり、バー式とめ具８がつなぎ部を併って差し込むことができるようにバー式とめ具８の中央の連結点から端までの寸法Ｗより充分長い寸法Ｌの範囲のつなぎ部たるチェーン１１の連結点に連なる部分と連結部は、バー式とめ具８のＷの部分と重ねて釦孔の空き部分に差し込める寸法形状に構成されている。
連結点からバー式とめ具８の端までの長さが左右で異なる場合は、少くとも短かい方のＷ寸法よりＬは長くする必要があり、長い方のＷより長ければ充分である。なお、Ｗは前立の縁と前釦孔の距離より充分短かくして前立よりはみ出さないように構成される。
【００２７】
図５から図８迄は、バー式とめ具のカンの取付方式の例で、図５はバー６１に設けた溝にカン６２がまきつけられそのカンの一部に次のカンが入るもの、図６はバー６３中央の面取りされた孔にカン６４がはめられたもの、図７はバー６５にカン６６がろうづけされた物、図８はバー６７が板状のものであり、中央の孔９１にカン６４がはめられたものである。
【００２８】
加うるに、上記のワイシャツ上に装着するネクタイをとめる用具に於ては、ワイシャツの前会わせ部の釦，留糸，釦孔（以下前釦・留糸・前釦孔と称する）の中同種ならどこにも着脱可能な取付部が二つと、二つの取付部をつなぐつなぎ部とで構成して、取付部の少なくとも一方とつなぎ部はネクタイのループを潜り得て、かつつなぎ部はループが相対的に上下方向に移動することを妨げない形状であり、上側の前釦・留糸・前釦孔に取付ける取付部（以下上側取付部と称する）を前釦・糸・前釦孔の最下位のもの以外から選んだものに取付けて、下側に取付ける取付部（以下下側取付部と称する）を、上側取付部を取付けた前釦・糸・前釦孔の下方に隣接した前釦・留糸・前釦孔に取付けたとき、各々の取付部が取付けられた前釦・糸・前釦孔にひっかかってとめられる点（以下取付部の係留点と称する）間の展開長さ（以下係留点間隔と称する）が、前釦・留糸・前釦孔が一直線に並ぶようにワイシャツを引きのばしたときにワイシャツにたるみを生じさせぬ最短寸法以上でまた隣接する前釦の中心間の距離（以下前釦ピッチと称する）の３０％を上記最短寸法に加えた寸法以下の範囲内に形成されていて、あるいはその範囲内のある長さに調節可能にも後述するように構成もできるものも提供される。
【００２９】
ループの位置が前釦位置と重なる場合は、ネクタイを締め直してループ位置を調整もできる為、上記係留点間隔を前釦ピッチ以上で、ネクタイのループの上下方向の巾の２倍に前釦ピッチを加えた寸法以下の範囲内のある長さに形成、あるいは調節可能としておくことでも良く、コンパクトなものにできる。
【００３０】
具体的寸法として上記前釦ピッチが８ｃｍ乃至１０ｃｍのワイシャツに対して、係留点間隔を１０ｃｍ〜１０４ｍｍとして調節無しでも共用を可能にできる。
【００３１】
図１１の実施例は、図３の実施例に図９に示すループ巾の範囲内で中央付近を押圧場所とするクリップ１５の元にカン１６を設けたものを、チェーン１１にはめられ自由に滑動し、かつバー式とめ具５及び８に妨げられてチェーン１１より外れることは無いカン１９にカン１６を連結したもので、前立部分用着脱取付部であるバー式とめ具とチェーンをループに潜らせず、すなわち、チェーンはループの外のまゝで、ループには片側より、クリップを差しこむことでネクタイを拘束するものであり実施例図３でループがチェーンを囲み、姿勢の変化に応じて滑動する代りに、ループと一体のクリップがチェーンにはまったまま滑動するもので、実施例図３の場合より複雑な構成であるが、姿勢を横に傾けたとき、ループ巾の半分程ネクタイの横振れが少くなる特徴がある。
【００３２】
すなわち、この例はネクタイのループを挟みつけてループの縁で行き止まる迄差し込んだときループを挟みつける圧接部がループの上下方向の巾の中にありその圧接力によってループに着脱可能に固定でき、且つなぎ部に拘束され案内されてのつなぎ部にそっての移動は可能に形成されている部材（以下つなぎ部滑動部材と称する）と首振り可能に根元で連結されたクリップ部材（以下両者をあわせてループクリップ滑動部材と称する）が付加されているもので、さらにこのループクリップ滑動部材をつなぎ部に対し着脱可能とし、少なくとも一方の取付部とつなぎ部がループを潜れるように構成すれば、図３と同じ形に随意に切り換えて使えるネクタイどめとできる。
【００３３】
なお、図１１の実施例における図３の実施形部分にかえて、図１の実施例とすることもできる。また、図１の９０，９１，並びに図３の９１，９２は［００１１］に記載の係留点に当たる。また、［００３２］のループクリップ滑動部材は請求項４のループ用着脱取付部に当たる。なお、図１の実施形部分に比べて、図３の実施形部分の場合、ループクリップ滑動部材の移動可能な範囲が係留点間隔いっぱいにとれて有利となる。
【００３４】
図９のクリップ１５のような薄手の布のループに取付ける部材においては、取付け状態でのループが垂直面より傾く角度を抑えるために、クリップ１５の圧接部の中心１１５から１５の重心がずれた所にあり、重心が圧接部の中心より下に来るような姿勢にて取付ける。図９では重心が圧接部中心よりクリップの開口側にありループの上側からループに差しこむことで圧接部中心のほぼ真下に重心がきて、ループがめくれる傾向が避けられる。重心が圧接部中心よりクリップ１５の元側にあればクリップをループの下側からループに差しこむ事で圧接部中心の下方に重心が来る姿勢で取付けられる。めくれが目立たない３０度以内におさめるには、圧接部中心点を頂点とし頂角６０°の円錐の中に重心がおさまる形状とし、圧接部中心点より下方に重心が来るように取付ける。図９並びに図１１でのＷは重心位置を示し、１１５は圧接部中心点を示している。
【００３５】
図１３は図３の実施例の下部のバー式とめ具を、図１０に示すようにワイシャツの前立５３にその縦の外縁２４側よりはめて  ２４にふところが当たるところまで図示の位置迄入り前釦を結ぶ線上付近で前立の布を押圧してとまるクリップ２０，２１と、同じ付近にろうづけされたカン２２とからなるクリップに置きかえて、チェーンにカン２５で連結したもので、チェーンの下方の前立への固定位置が前釦位置に制約されず決められて、前釦のピッチが同じではないワイシャツに対して、チェーンを前立にたるみなく張ることができて図２０で例示した前かがみになったときの前振れ量は抑えられ、また図１０のクリップは、他端のバー式とめ具の上方にも下方にも取付けられるので、つなぎ部の長さが前釦ピッチの半分以上あればよく、この点からも前振れ量横振れ量共小さく抑えられる。
【００３６】
すなわち、上記のワイシャツ上に装着するネクタイをとめる用具において、ワイシャツの前会わせ部の釦、釦の留糸、釦孔（以下前釦・留糸・前釦孔と称する）の中、同一種類のものに対してはどこの位置のものにも着脱が可能な取付部が一つと、前釦を連ねる線（以下前釦ピッチ線と称する）上で前釦・留糸・前釦孔のいすれも存在しない部分のワイシャツの前釦孔のある布を挟みつけて前釦ピッチ線沿いの布の外縁で行き止まる迄差し込めて、前釦ピッチ線を中にその左右にわたり布を挟みつけた圧接力によって、ワイシャツの布に着脱可能に固定され、上記のもう一方の取付部に連なるつなぎ部の一端と首振り可能に連結された連結部を有し、その連結部の位置は、上記のワイシャツへの固定状態において前釦ピッチ線を中心とする釦巾以内にあるクリップ部材（以下クリップ型取付部と称する）をもう一つの取付部として、この取付部と前釦・留糸・前釦孔への取付部と、両者をつなぐつなぎ部とより成り、つなぎ部と少くとも一方の取付部はネクタイのループを潜り得てかつつなぎ部はループが相対的に上下動することを妨げない形状で、前釦・留糸・前釦孔取付部の係留点とクリップ型取付部の連結部間の距離（以下連結距離と称する）が前釦ピッチの１／２以上で１、３倍以下の範囲内のある長さに形成し、あるいは、その範囲内のある長さに後述するような方法あるいは公知の方法により、調節可能に構成したネクタイどめが提供される。
【００３７】
実施例として、図１３のバー式とめ具８も図１０のクリップに置き換えることもでき、この場合は、チェーン部の長さを、姿勢の前後屈でループと前立が相対的にずれる量にループ巾を加えた程度にできて、今迄に述べてきた実施例に比べて短かめに設定も可能である利点をもつ。
【００３８】
すなわち上記のワイシャツ上に装着するネクタイをとめる用具において、クリップ型取付部を二つと、二つの取付部の各連結部に連結するつなぎ部とより成り、少くとも一方のクリップ型取付部とつなぎ部はネクタイのループを潜り得て、つなぎ部はループが相対的に上下動することを妨げない形状に形成されており、二つのクリップ型取付部の連結部間の距離（以下クリップ連結部間距離と称する）がループの上下方向の巾の２倍以上、前釦ピッチの半分以下の長さに形成し、あるいは、後述するような方法か公知の方法により、その範囲内のある長さに調節可能に構成したネクタイどめが提供される。
【００３９】
なお、前立を伸ばしてチェーンを上あるいは下に引いたとき、動きが前釦、前釦のとめ糸の束、あるいは前釦孔で制止される掛輪やバー式とめ具を備える実施例では、チェーンの長さは、掛輪が係留される点９０と、下方のバー式とめ具が係留される点９１間の距離、あるいは図３のバー式とめ具間の係留点間の距離を（ネクタイを締め直すことでループ位置を調節できることは別として、）前釦のピッチ寸法以上に、例えば前釦のピッチにさらにループ巾の２倍の寸法を加えた寸法を確保することが、たまたまループ位置が前釦、前釦とめ糸の束、前釦孔というような、掛輪やバー式とめ具を係留したい点にループがかぶさるようにネクタイを締めた時でもネクタイを締め直すことなくすませるためには望ましいと言えるが、一方で係留点間の距離を前釦ピッチの１、３倍から前釦ピッチの間としてもループやワイシャツの前立の柔軟性を見込むと実用可能である。
実施例図１１，図２１，図２５，図２７，図３１，図３９，図４０，図４８，図８３，図８６それぞれの場合も事情は同様である。
【００４０】
前述［００３７］に記述の実施形にては事情が異なり、前釦ピッチにかかわらず、長さはループの上下方向の巾の２倍位まで短かくもできる。
【００４１】
実施例として、図３，図１１の両端か、その一方に図１０のクリップを採用することもできる。
【００４２】
実施例図２７はチェーンの一部を前立への取付けを不可能としない範囲で剛体に置き換えたもので、係留点間隔が前釦ピッチより大きい場合に於ては、各係留点より測って係留点間隔と前釦ピッチの平均値以下（且バー式とめ具の場合には連結点とバー式とめ具の端までの長さＷ以上に［００２６］の記載によって決めるＬ寸法部以外）での範囲を単一または複数の剛体の連結体で構成し、かつ各係留点から係留点間隔と前釦ピッチとの差の半分の距離だけ係留点より離れた所において１８０度の折り返しが可能な構造としてある。
図２７の実施例に於て、二つの係留点は９１と９２，剛体は一つで８１，折り返し点は８９であり、８２〜８５はカン、８６〜８９はカン用孔である。
【００４３】
同じく図２５の実施例では、二つの係留点は９０と９１，剛体は二つで、２と７１，折り返し点は７８の孔で、７６も孔、７９，８０，９４はカンである。
【００４４】
［００３５］，［００３６］に記載の例のように、係留点間隔が前釦のピッチより小さいか等しくできるクリップ型取付部を採用した場合に於ては、チェーンの一部またはその全部を、剛体またはある程度の曲率に曲げられるものに置換できる。すなわち係留点間隔の範囲を単一または複数の剛体の連結体を混じえて構成できる。
【００４５】
図１３で連結距離が前釦ピッチより大きい場合いずれか一方の端を起点に連結距離と前釦ピッチの平均値以下の範囲をＬ寸法部は除いて単一または複数の剛体の連結体で構成し、係留点と連結部間の残余の部分は、連結距離と前釦ピッチとの差の半分の距離だけ他方の端より離れた所において１８０度の折り返しが可能な構造とし、連結距離が前釦ピッチより小さいか等しい場合に於ては、連結距離の範囲を単一または複数の剛体の連結体で構成できる。
【００４６】
両端共クリップの時クリップ連結部間距離が前釦ピッチより大きい場合においては、いずれか一方の端を起点にクリップ連結部間距離と前釦ピッチの平均値以下の範囲を単一または複数の剛体の連結体で構成し、連結部間の残余の部分は、クリップ連結間距離と前釦ピッチとの差の半分の距離だけ他方の端より離れた所において１８０度の折り返しが可能な構造とし、クリップ連結間距離が前釦ピッチより小さいか等しい場合に於てはクリップ連結間距離の範囲を単一または複数の剛体の連結体で構成できる。
【００４７】
実施例図２５，２７においても、剛体はある程度の曲率に曲げられるもの、例えば芯入りの布、皮革、太い鎖、腕時計のバンドの様なもの（以下準剛体と称する）に置換できる。
【００４８】
クリップが、少くとも一方の取付部として設けられている場合は、連結部の一部または全部を剛体あるいは準剛体に置換できる。
【００４９】
図２１は布地または皮革または人造皮革のバンド７１の両端部に前釦用の釦孔７２，７３を設けたもので、折返し可能な部分７４，７５を有し図２２，図２３，図２４の断面図に示す３通りの前釦ピッチに対応して、前立５３，前釦４７と５０，釦とめ糸４８と５１にループをかかえて取りつけられる。釦孔７２，７３のバンド７１側の端の間がつなぎ部となる。
この場合、たるみの変化をおさえるには、釦孔を水平にすると有利となる。
【００５０】
単純な形として、前釦とその留糸への取付部を、係留点となる点を分岐点にした二股に分れた二本の紐とする時は二本の紐の長さは、釦に蝶結びするのに必要な長さとして６ｃｍ以上でネクタイ巾より蝶結びの巾がせまくおさえられる長さとして９ｃｍ以下の範囲とすると、紐が正面より見えにくい。
【００５１】
長さ調節用とし、つなぎ部に太い部分と細い部分が細かく定ピッチに連なる鎖あるいはビーズ紐と、その上部に連結した環があり、環には上記太い部分の巾以上の長さで細い部分がはまり太い部分は通過できない巾の縦溝が環の内側に連結部に近接して設けられ、上記細い部分が溝の中に、太い部分が溝の両側にくるように着脱可能にはめられるような溝の内縁の厚さと形状が定められており、かけ外し及びかける位置の選択により、つなぎ部長さが調節できるようにした例を図３１，図３４，図３６に示す。
【００５２】
図３１においては掛輪２下部にチェーンのカン９４が入り、その下のカン１０１は通らないでひっかかる巾で、深さは９９から１００迄のカン二つ分の溝９３があり、図３３の点線のようにまきつけることも、図３２の点線のようにカン９４を溝に入れカン９５が溝にひっかかって折返した状態にも掛けられる。
【００５３】
図３４では、掛輪２の中間にチェーンが連結する孔３があり、その下部に掛輪状のチェーンが潜れる大きさの孔１０２とその下部にチェーンのカン１０３（図３５に図示）が入りカン１０４がひっかかる深さと巾の溝が設けられており、図３５のようにかけると長さが１カン単位で短かくしていける。
【００５４】
図３６は、図３４の掛輪２の孔３以下の部分に相当する溝つきカン１０５をチェーンの一部のカン１０９に孔１０８を使ってつなげ、その下にある孔１０６にチェーン１１０の末端のカン１０７をつないだもので、図３４と同様な方法で長さの調節ができるものである。
【００５５】
すなわち、上記の例の場合は、太い部分と細い部分が細かく定ピッチに連なる鎖あるいはビーズ紐と、その上部に連結した環があり、環には上記太い部分の巾以上の長さで細い部分がはまり太い部分は通過できない巾の縦溝が環の内側に連結部に近接して設けられ、上記細い部分が溝の中に、太い部分が溝の両側にくるように着脱可能にはめられるような溝の内縁の厚さと形状が定められており、かけ外し及びかける位置の選択により、つなぎ部長さが調節できる。
【００５６】
その他、調節方式として、例えば、腕時計のバンドや、ズボン用のベルトや、カメラケース用バンドや、ネックレスのアジャスター方式などの公知の方式が採用できる。
なお、前釦への取付は、ボタンカバーに連結部をつなげた形でも可能である。
【００５７】
図３１の実施例にては、掛輪２を前釦にはめて、留糸の束に係留点９０をかけて、一方、バー式止め具５をループの上から、（あるいは下から）潜らせてから、バー式止め具５を、さらに掛輪（別名  門環）２にワイシャツ側から（ループを下側から通した場合はネクタイ側から）通し、バー式止め具、あるいはチェーンの途中を掛輪の溝部９３に引掛けて、前釦にループを拘束することもできる。
【００５８】
すなわち、ネクタイのループを潜り、一端がワイシャツの前立部分に着脱可能に固定できて、他端（上例の場合はバー止め具５にあたる）が両端の中間部（上例では溝部９３にあたる）に着脱可能に固定または長さ調節可能に係止できる実施例でもある。
【００５９】
なお、図９のクリップ１５のカン１６の位置（以下  連結点と称す）は、図示のような根元付近に限ることなく、挿入したループを押圧する場所（図９の１１５で、圧接部分と称す）に連結点を設けた図１０を転用の場合、カンや引輪より成る図９のつなぎ部滑動部材１９と連結される図１０のカン２２を経てクリップ２１がチェーン１より力をうける場所はループを押圧する圧接部分となる。
【００６０】
図３９の実施例では連結点は図４１に示すクリップ１５に固定されたカン１６で圧接部は１１５であり、図４０では連結点は図４２に示すクリップ１２０に設けた孔１１９で圧接部は１１５であり、図４３では連結点は孔１２３で圧接点は三つの半抜き突起の先端部１２９で、それぞれ連結点を圧接部の中央及至クリップの開口寄りに設けた例で、１１６は着脱自在な図５９に示す引輪である。図５９に示す引輪１１６の内径のくびれ部２０２の巾Ｂは、チェーン１１とくいつかないようにチェーンの最大巾より大きいか最少巾より小さく構成する。図３９ではクリップはループの上方から、図４０では下方から差込まれており、これはクリップの重心が連結点より下方になる姿勢で差しこむと取付後の姿勢の落ち着きが良く、また重心が圧接点の下方にもなり、ループがめくれ傾向になるのを抑えられる。
【００６１】
図４３はクリックどめ開閉式クリップで、バネ部材１２５の中央の片持バネ片の先端部１２４で開閉部材１２２の末端１２８が押され半抜き突起１２９と１２５に圧接力を生じる。開閉部材の軸突起１２７はバネ部材１２５の半円筒部の内径１２６に押圧され、差しこまれたループ２８は突起１２９とバネ部材１２５の間にはさみつけられて固定される。軸突起１２７と半円筒部は両側にあり、開閉部材１２２を点線位置１３０の方向に開くと、点線位置に落ち着き、ループに差しこみ易く、ループに差しこんだ後閉じればループはクリップに固定される。１２６は図４４，図４５に、１３０は図４５に記載されている。
【００６２】
図１０のクリップをループ用として用いる時、連結点付近に圧接部が位置するので、あお向いて胸をはった時などにおこり得るネクタイのループが上方向にひかれた時、前立に抱束されているチェーンによりクリップの上方向への動きが妨げられた時でも、クリップからループが抜ける方向の力はクリップに加わらない。また、左右方向のネクタイの横振れも図９の場合よりも圧接点と連結点の距離の差の分だけ抑えられるという特徴が得られる。
【００６３】
また、連結点を圧接部よりクリップの開口寄りに設けると逆にループがクリップの根元側に押しこまれる力をうけ、連結点がクリップの根元にある時のようなループからクリップが抜ける方向の力をうけることによって起きる装着中にいつのまにかクリップがループから外れてしまう危険は［００６２］の場合以上に少いという特徴が得られる。
【００６４】
さらには、図４０の実施例では、孔１１９より大きい径の円板１７４の中心部に固定された、孔１１９より小さく孔の厚さよりは長いカン１７５が、孔１１９の中を通って、引輪１１６に固定のカン１７３と連結されており、従ってクリップ部品は首振りのみならず回転も引輪に対して自在であり、クリップ部品の面１２０をネクタイ側（図４０と反対向き）に向けてループの上側からでも下側からでも装着することができ、その場合にはネクタイを身体から離す方向（図４０で右方向）にネクタイに力が加わって、ループ２８が図４０の右方向に引っぱられてもクリップは抜かれる力をうけることはなく、よって図４２のタイプのクリップのみならず、図４３のようなクリックどめ開閉式クリップとしたときでもそれ程圧接力を上げなくても装着中のクリップがループから抜けてしまうというような恐れは少ないという利点が得られる。
【００６５】
なお、クリップ装着時に図４０の例でクリップ部品の面１２０をワイシャツの前立側に向けて装着する場合や、圧接点より連結点がクリップの根元寄りにある図９の場合や、図３９のように連結点のある側をワイシャツの前立側に向けて装着する場合、力のかかり具合によってはクリップがループから外れる場合もあり得るが、連結点をネクタイ側に向けチェーンをループに通しておけば、例え外れても図３の例と同様のネクタイどめとしての効果は残る。
【００６６】
図４０における引輪１１６は、内径側に構造上図５９に示す溝２０２があるが、チェーン１１の巾は溝２０２の巾より小さいか、逆に充分大きくして、チェーン１１が溝２０２にくいついて引輪１１６が動かなくなるのを防ぐ。
【００６７】
図３９，図４０，図４４に示すループ２８の巾寸法Ｃは、最少１０ｍｍ，平均で１５ｍｍ程度である為に、ループ２８を差し込んだときクリップ奥で突き当たる制限と、その制限に最も近い圧接部との距離Ａ（図４１，図４２，図４５の図示寸法Ａ）を３〜７ｍｍに、制限より最も遠い距離Ｂ（図４１，図４２，図４５の寸法Ｂ）を１２ｍｍ以下にするとループの差しこみ位置の許容巾は４ｍｍを確保できて実用的である。
【００６８】
図４６の実施例では、ワイシャツの前立１５の上より三つ目の釦孔１４０と四つ目の釦孔１４１の中間点よりやゝ上にワイシャツの襟並みの芯を入れた同じ生地、柄の布製帯（以下ループ通しと呼ぶ）１４２の上端部１４３が前立の表側（以下表前立と呼ぶ）１４７に縫いつけて固定されている。釦１５０，釦１５５，釦１５６は前立の裏側の生地１７０にとめられている。
ループ通し１４２の他端１４５近くには別の釦孔１４６があり、表前立１４７の四つ目の釦孔１４１と五つ目の釦孔１４８の中間点に表前立上に設けられた釦１４９にとめられるようになっている。ループ通しの巾は前立の巾あるいは前立の外縁１５７と釦１５０′の中心との距離の２倍よりやゝせまく、ループ通しの外縁１５８が平らに置かれたとき前立の外縁１５７よりはみ出る事は無い。
【００６９】
ネクタイを結び小剣１７１をループ２８に通し、ループ通しの一端１４５をループ２８とループに通してある小剣１７１との間に上から下に通してから、ループ通し１４２の釦孔１４６を表前立の釦１４９にとめる。
【００７０】
ループ通し１４２の中間点付近にも前立１５の四つ目の釦１５０に対応する位置に釦孔１５１（以下中間釦孔と呼ぶ）を設けてループ２８の位置が四つ目の釦１５０と重ならなければ前立の四つ目の釦１５０に中間釦孔１５１をとめることによりさらにネクタイの振れを小さくおさえられるようにもできる。
【００７１】
図４６の実施例のようにループ通し１４２が表前立１４７に一端が固定されていればループ通しを紛失する恐れは無いが、図４８の実施例のように縫いつけの代りに、表前立１４７上の釦１５２と着脱が可能な釦孔１５４を有する分離型のループ通し１５３のような型式にもできる。この場合、紛失のリスクはある一方、ループ通し１５３の釦孔１５４は釦孔１４０と同形で、その間隔は前立の釦孔のピッチと同じで、中間釦孔１５１は釦孔１４６と１５４の中間点にあり、前釦のピッチの１／２づつ移設できる。よってネクタイの結び方やネクタイの長さによるループ位置の変動にも、図３の実施例等と同様に対応できる利点がある。
【００７２】
なお中間釦孔１５１が無いときは、移設は前釦ピッチづつの移設となる。
【００７３】
図５０の実施例は、図４６の実施例のループ通し１４２の巾をせまくして、前立の釦１５０をおゝわず、かつ釦１５０の前立の外縁１５７と反対側の位置で、できるだけ釦と近いところに寄せて設けた例で、ループ通しがワイシャツの釦１５０の掛け外しのじゃまにならないという利点がある。
【００７４】
前立の釦に掛ける図１の２に示すレモンカン等の掛輪についての図５２，図５４の実施例では、釦厚さ程度の段差の壁１８１と１８２を、掛輪１８３の釦出し入れ用大開口１８４の両側の縁１８５と１８６に設けて、釦を１８７の位置で大開口１８４に入れた後、釦糸束１８８が小開口１８９に入るよう掛輪を移動させ制限１９０迄移動させたときの釦外径１９１より外側に壁１８１と１８２があり、かつ、壁１８１と１８２に釦外径１９１が接したとき、釦糸束１９０は小開口１８９の開口端１９２と１９３より小開口１８９寄りに収まっている場所に壁１８１と１８２の位置を定めてあるものが提供される。
【００７５】
これにより、掛輪の表側１９４が釦側に来るよう釦に掛ければ、チェーンよりの力が横方向や身体の前方向に孔３にかかっても釦から掛輪が外れることはなく、身体がある為背方向には力がかかることはないので、結局意図的に外さない限り釦から掛輪が外れることはないという特徴が得られる。掛輪の表裏は、表をマット面仕上げ、裏を表前立の布地をけばだてない光沢面仕上げとする等で、見分け易くしておく。
【００７６】
図５５，５６，５７に示す例では、掛輪１９４の大開口１９５の両縁１９６，１９７に突起による壁１９８，１９９，２００，２０１を設け、掛輪が表向きでも裏向きでも［００７４］に述べた条件を満す壁が釦側に在るようにしたもので、表裏を気にせず釦に掛け輪を掛けられる特徴をもつ。
なお、壁１９８と１９９は同じ側の壁，２００と２０１同志は同じ側だが１９８，１９９とは反対側に突き出ている壁である。
【００７７】
壁は、図５２の段差や、図５５の曲げの他、図５８の２０３，２０４のようにプレスによる突出しでも構成される。
【００７８】
図６０の実施例は、図１０のクリップのカン２２と図４１のクリップ１５に固定されたカン１６をつなぎ部としてのチェーン２５により連結したもので、クリップ１５をネクタイのループに図３９のごとく装着後、クリップ２０を図１０のごとくワイシャツの前立に装着するものである。各圧接点１１５間の距離は、この例ではクリップ２１の連結点２３７とクリップ１５の連結点２５７の距離をほぼ同じであるが、ネクタイが後屈姿勢でつっぱらず、前屈時に目立つたるみをさける為、１０ｍｍできれば１５ｍｍ以上で、かつ横傾姿勢時にネクタイにかくれている釦が正面から見えにくい為には、ループのあるあたりのネクタイ巾の半分（多くは３及至４ｃｍ）と釦の半径（多くは５及至６ｍｍ）の差の最少よりも小さくする為に、２５ｍｍ以下にする。
【００７９】
図６１の実施例では、前立に装着するクリップとして釦のあるところにも装着できるようにカン２２の連結点下に図６３に示す高さＤの逃げを設けたもので、釦孔２３２をもつ前立の前側５３にはめた前立の後側２３６に糸２３３でとりつけられている釦２３１の上にクリップ２０の前片２４１が来たときも釦２３１と前片２４１が接触しない高さＤとしてあり、圧接点は２４３と２４４になる。両圧接点よりＡのところの振分け中心線２４５が釦位置と一致するかあるいはわずかにクリップ開口側になるようにふところ深さＮを定め、連結点はさらにＣだけ開口側寄りとしてあり、ネクタイ従ってカン２２が体から前方に離れる方向にひかれたときでも前立の前側５３がめくられる方向に力をうけず、またクリップ２０が前立の前側から外れる方向に引かれる力もうけない特長を有する。前立の前側の外縁より釦孔までは１５ｍｍ及至２０ｍｍが多く、前立の巾は３２ｍｍ及至４０ｍｍが多く、釦径は１０ｍｍ及至１２ｍｍが多く、釦の厚さは２ｍｍプラスマイナス０．４ｍｍが多く、よって、Ｎは２０ｍｍ以上２５ｍｍ以下，Ａは７ｍｍ以上１４ｍｍ以下，Ｃは０ｍｍ以上５ｍｍ以下，Ｄは布厚さを考慮しても２．５ｍｍ以上で構成されている。
【００８０】
図６０，図６１のネクタイのループにつけるクリップ１５についても、図６３と同様に図６４，図６５に示す圧接面の両端２５３と２５４の振分け中心２５５よりクリップの開口（２５２と２５８の間）側にわずかにＥだけ寄ったところに連結点２５７を設けてあり、ネクタイ従ってカン１６が体から前方に離れる方向にひかれたとき、クリップ１５が圧接されているループから外れる方向に力をうけない特長を有する。
【００８１】
図６６の構成では、図６０のワイシャツの前立用クリップ２０とネクタイのループ用クリップ１５を一体化したもので構造が簡単，安価という特長を有するが、前立に対するループの相対的ずれの自由度が全くなく、前屈時のネクタイのたるみや身体を横に傾けたときのループ圧接点あたりでのネクタイの正面から見たときの折れ曲りが図６０の実施例より目立つという短所を免れられない。
【００８２】
図６１の実施例と同様に、図６９のクリップの前片２２１と他方の片２２２との間は釦２３１と接触しない高さＤとしてあり、圧接点２２３と２２４の両圧接点よりＡのところの振分け中心線２２５は釦位置と一致するかあるいはわずかにクリップ開口側になるようにふところ深さＮを定め、かつループ用クリップ２１１の巾の振分け中心線２２６は、２２５と一致するか、あるいは寸法Ｃだけ開口寄りとしてあり、かつ、図６８に示すように、前立用クリップ２２１の巾の振分け中心線２１６は、クリップ２２１の圧接面の両端２１３と２１４の振り分け中心線２１５と一致するか、あるいは寸法Ｅだけクリップ２１１の開口寄りとしてあり、ネクタイ、従ってループが体の前方にひかれたとき、前立の前側の縁がめくられる方向の力をうけず、また前立からクリップ２２１が前立から抜ける方向にも力をうけず、さらに、クリップ２１１もループから抜ける方向にも力をうけない。
【００８３】
図７６の実施例は、図６０のクリップ１５に代えて洗濯挟式バネ式クリップ３１５、クリップ２０に代えて洗濯挟式バネ式のクリップ３２１とし、カン３２２からカン４７４に至るチェーンで、クリップ３２１に固定のカン４６０と、クリップ３１５の先端３５４から３５３に至る圧接部の振り分け中心である図７７の３９７より寸法Ｅだけクリップ３１５の開口側に寄ったところに回転軸３４６と抜けどめ３５５があってクリップ３１５と回転可能にとりつけられたカン３５７が連結されており、クリップ３２１とチェーンのカン４７４の連結点であるカン４６０のクリップ３２１への固定位置３４６は、クリップ３２１のシーソー３４７の圧接点３４３と３４４の振り分け中心位置３４５より図７７の寸法Ｃだけクリップ３２１の開口寄りにくる点にあり、クリップ３２１のつまみ３９０をバネ３９１に抗して押してクリップ３２１を軸３７３を回転軸に押し開き、ワイシャツの前立の縁が行きどまり３２４に当たる迄前立に挿入し手を放してとりつける。シーソー３４７は図７７の寸法Ｄだけふところを逃がしてあるため図６１のクリップ２０と同様にワイシャツの釦の上にもセット可能である。３２１と一体の軸３７３はクリップ３２０の折り返し片３７１の穴３７２にはめられ支持されており、３２１と一体の軸３８３はシーソー３４７の折り返し片３８１の穴３８２にはまり支持されている。
【００８４】
クリップ３１５は、クリップ３２１の前立への挿入に先立ってネクタイのループに、バネ３９２に抗して３９３と３９４をつまんで軸３９５を回転軸に押し開き、ループが行きどまり３９８に当たる迄ループの左右方向の巾の中心付近に、下側から挿入してとめつけて、次にクリップ３２１をワイシャツの前立に、胸を張った状態でクリップ３２１を下方に寄せてチェーンとネクタイが伸びきった状態でとりつける。こうすることで前傾した時、ネクタイのたるみが、クリップ３１５の連結点３５６の上下方向の自由度が最大限に活用されて、生じにくくなる特徴を得る。
【００８５】
なお、図７７の寸法Ｇは、［００８８］に述べるように、１５ｍｍから２５ｍｍの間としてあるが１０ｍｍから２５ｍｍの間としても許容され得る。
【００８６】
図７０の実施例は、図６０のクリップ１５に代わり洗濯ばさみ式バネ式クリップ３１５とし、クリップ２０に代り洗濯ばさみ式バネ式クリップ３２０として、カン３２２から３７４に至るチェーンと３２２から３６４に至るチェーンで３２１に固定のカン３７０と３６０に連結して、３１５の先端３５４から３５３に至る圧接部の振り分け中心図７１の３９７より寸法Ｅだけクリップ３１５の開口側に寄った所には回転軸３４６と抜けどめ３５５があってクリップ３１５と回転可能にとりつけられたカン３５７が連結されており、両チェーンが伸びきったとき回転軸３４６は、クリップ３２０のシーソー３４７の圧接点３４３と３４４の振り分け中心３４５より図７１の寸法Ｃだけクリップ３２０の開口寄りにくるようチェーンの長さＦとＪが定められており、クリップ３２０の３９０をバネ３９１に抗して押しクリップを開き、ワイシャツの前立の縁が行きどまり３２４に当たる迄前立に挿入しとめつける。シーソー３４７は、図７１の寸法Ｄだけふところが逃げており、図６１のクリップ２０と同様にワイシャツの釦の上にもセット可能となっている。クリップ３１５は前もってネクタイのループに、バネ３９２に抗し３９３と３９４を押し開きループが行き止り３９８に当たる迄ループの左右方向の中心付近に下方より挿入取付け、次にクリップ３２０をワイシャツの前立に胸を張ってクリップ３２０を下方に寄せネクタイを張った状態でとめつける。こうすることで、前屈時のたるみを生じにくくするクリップ３１５の連結点の上下方向の自由度が最大限活用される状態になる。なおクリップ３１５の３９５は回転軸で、クリップ片３２１と一体の軸３７３と３８３は各々クリップ３２０の折返し片３７１に設けられている軸受穴３７２、シーソー３４７の折り返し片３８１にある軸受穴３８２にはめられ支持されている。
なお、カン３６０，３７０の代りに図９１の連結点６６１，６６２のごとくクリップ片３２１の下部に孔を設けてカン３６４，３７４を連結する方が［０１１１］に記載の通り好ましい。
【００８７】
ちなみに各寸法は、
Ｎは前立縁と釦中心の距離以上で前立の巾の半分を大きく越えない例えば、１５ｍｍ以上で、２０ｍｍ以下としてある。
Ａは釦半径以上でＮ以下。例えば、７ｍｍ以上で１５ｍｍ以下としてある。
Ｄは釦厚さ以上で最少限の寸法。例えば、２．５ｍｍ以上で３ｍｍ以下としてある。
Ｋ，Ｌは前立縁と釦中心の距離以下。例えば、ＫもＬもそれぞれ２０ｍｍ以下としてある。
Ｑは前立厚さ以上で最小限の寸法。例えば、１ｍｍ以上で２ｍｍ以下としてある。
Ｃは、連結点は釦近くにある方が望ましく、例えば、５ｍｍ以下としてある。Ｍはネクタイのループの上下方向の巾以下で、かつその半分以上。例えば、５ｍｍ以上で、１０ｍｍ以下としてある。
ＥはＢ以内、ＢはＭ以下、ＲもＭ以下で、それぞれ例えば１０ｍｍ以下としてある。
【００８８】
クリップ３１５の圧接点の上下の自由度は、上半身の前後屈に対しネクタイができるだけたるまず、つっぱらないために大きい事が望ましく、首の上下動の巾約６ｃｍ余に対し体形にあわせたワイシャツのネクタイのループ位置付近のたるみとループ自体が薄い布であるためのたわみで、その１／２から２／３がカバーされる可能性を考慮しても、上記の自由度は、巾で２０ｍｍ以上（上下振り分けなら各々１０ｍｍ以上）は必要で、できれば巾で３０ｍｍ以上（上下振り分けなら各々１５ｍｍ以上）あることが望ましい。
一方、クリップ３１５の圧接点の左右方向の自由度は、ネクタイの横ぶれに併ってワイシャツの釦が正面から見えないか見えても少い程外観上望ましく、ループ付近のネクタイ巾から釦径を差引いた値の半分以下、一般には左右方向各々２５ｍｍ以内（１インチ以内）におさめることが望ましい。
図６０，図６１の例でも、カン１６とカン２２の間のチェーンの長さで各連結点２３７と２５７の距離を１５ｍｍ以上２５ｍｍ以下とすれば充分条件を満す特徴が得られる。
【００８９】
さらには、前立が正面から見えない程度にするには、ループ付近のネクタイ巾から前立の巾を差引いた値の半分以下、一般には左右方向各々１２ｍｍ以内（半インチ以内）であることがさらに望ましい。
【００９０】
図７１の例では、ＧとＨを１５ｍｍ以上としながら、ＦとＫの差、ＪとＬの差を各１２ｍｍ以下にとる事ができる。
すなわち、ＦとＫの差もＪとＬの差も共に１２ｍｍ以内で、またＦの二乗とＫの二乗の差の平方根であるＧも、Ｊの二乗とＬの二乗の差の平方根であるＨも共に１５ｍｍ以上とするＦ、Ｋ、Ｊ、Ｌ、Ｇ、Ｈの値があり、［００８８］及び［００８９］を満すようなネクタイどめが提供される。
例えば、ＫとＬを１１ｍｍ，ＦとＪを２３ｍｍとすると、ＧとＨは２０ｍｍ余となり上下方向の自由度は各々２０ｍｍ余を得る一方、左右方向の自由度は各々１２ｍｍにおさえられる。ループ用クリップ３１５の連結点３５７はループの横方向の巾の中央付近に下側から挿入してクリップする。
Ｋを前立の縁より釦の中心迄の寸法を例えば１６ｍｍとした場合は、ＦとＪは２８ｍｍとでき、ＧとＨは２３ｍｍにできる。すなわち上下方向の自由度は、各々２３ｍｍ程度、巾で４６ｍｍ程度が得られる一方、左右方向の由度は各々１２ｍｍにおさえられる。
例えば、ＫとＬを１１ｍｍ，ＦとＪを２３ｍｍとすると、ＧとＨは２０ｍｍ余となり上下方向の自由度は各々２０ｍｍ余を得る一方、左右方向の自由度は各々１２ｍｍにおさえられる。
Ｋを前立の縁より釦の中心迄の寸法の最大限２０ｍｍとした場合は、ＦとＪは最大３２ｍｍまで、ＧとＨは最大２５ｍｍまでの範囲とでき上下方向の自由度の最大は各々２５ｍｍ程度、巾で５０ｍｍ程度までを得る。
【００９１】
チェーンとクリップ３２１を共に金属とした為接触時の衝突音が目立つ場合は、面３２１にゴム系塗装をするとか緩衝部材を設けるか、衝突部品の少くとも一方をプラスチック化すると衝突音が目立たなくなる特徴が得られる。
【００９２】
なお、３８１はシーソー３４７と一体の軸受孔３８２をもつ折返し軸受部材で、３２１と一体の軸３８３とはめあわされており、３７１はクリップ３２０と一体の軸受穴３７２をもつ折返し軸受部材で、３２１と一体の軸３７３とはめあわされており、クリップ３１５の軸３９５は、クリップの両片３９４と３９３の回転軸である。
【００９３】
［００９４］に記載のワイシャツとネクタイの中、平均的なワイシャツとして前釦ピッチ８８ｍｍ、平均的なネクタイとしてループの横巾５０ｍｍのものを組合せた場合、［００１１］では図２０の襟首とベルトを結ぶ線からの距離（前振れ量と称す）は最大約４ｃｍ程度、横振れの寸法（以下横振れ量と称す）は最大約６ｃｍ程度となり、［００１８］では前振れ量、横振れ量とも最大約４ｃｍ程度におさまる。図７６の実施例ではともに２５ｍｍ以内にでき、また図７０の実施例では前振れ量は２５ｍｍ以内，横振れ量は１５ｍｍ以内におさえることも可能であることは［００９０］に記載したとおりである。なお［００１１］、［００１８］での最大値はループが前釦間の中間辺りにある時に生じ得る。
なお、ここに言う前振れ量はループを拘束する点のもので、実際の前振れ量はループのたわみ最大２ｃｍを加えて［００９５］に記載のように評価する。
ちなみに、ネクタイどめが無い場合で、襟首から下２０ｃｍの所にネクタイのループがある時、３０度の前傾姿勢をとった時の前振れ量は約１０ｃｍ、２０度の横傾姿勢をとった時の横振れ量は約７ｃｍとなり優劣は明らかである。
【００９４】
本明細書で前提とした一般的ワイシャツの寸法としては、釦径は１０ｍｍから１２ｍｍ，釦厚さは１．５ｍｍから２．４ｍｍ，釦穴の開口長さは１１ｍｍから１５ｍｍ、前側の前立の縁より釦の中心迄の距離は１５ｍｍから２０ｍｍ，前立が二重の場合の前立巾は３０ｍｍから４０ｍｍ、釦のピッチは７７ｍｍから１００ｍｍ，釦とめ糸の巾は、１．５ｍｍから４ｍｍである。
本明細書で前提とした一般的ネクタイの寸法としては、ループの横巾は４５ｍｍから６２ｍｍ，ループの上下方向の巾は、１０ｍｍから２０ｍｍ，ループ付近のネクタイの大剣の巾は、６０ｍｍから９０ｍｍ，ループの横の縁からネクタイのその付近の縁までの寸法は５ｍｍから２０ｍｍ，である。
本明細書で前提としたワイシャツとネクタイの寸法はオーダーにより自由にできるが、その場合はオーダー寸法に応じて本発明のネクタイどめの寸法の最適なものを選定する。なお前振れ量を抑えるにはループは変形に強い程良い。
【００９５】
ネクタイがワイシャツから離れる前振れの距離の望ましい限度（すなわち抑制が望ましい寸法の範囲）としては、シングルの背広の上着を着用し背広の前釦を外した状態で前傾した時に、釦孔と前釦のある背広の外縁が前に出るが、その縁より内側（ワイシャツ寄り）に残っていて横から見て背広からネクタイがはみ出していない範囲であることが望ましい。具体的にはワイシャツの前釦のピッチの８０％程度に相当し、平均的前釦ピッチ約９ｃｍに対しては約７ｃｍ位で、ループのたわみの最大を２ｃｍ程度として差し引くと、ループを拘束する点に望まれる前振れの距離（前振れ量）は５ｃｍ以下、すなわち前釦のピッチの６０％以下程度というのが一つの目安となり［００９３］の記載と比べて分かるように、このような観点からも各実施例は効果的と言える。
【００９６】
実施例図１，図３，図１１，図２１，図２７，図３９，図４０，において、［００１１］に従って、［００９４］に例示したワイシャツの釦のピッチ７５ｍｍから１０５ｍｍを１ｃｍ巾に区分し、７５ｍｍから８５ｍｍ以下用の係留点間隔をもつものをＳ，同様に８５ｍｍ超９５ｍｍ以下用をＭ，９５ｍｍ超１０５ｍｍ以下用をＬ，としたとき、適当な係留点間隔として前釦ピッチ以上で、かつできるだけ短くするとした場合を例示すると、係留点間隔としては、Ｓは８５ｍｍ，Ｍは９５ｍｍ，Ｌは１０５ｍｍとなり、この中から個人別のネクタイのしめ方のくせを加味して選択使用することにより、係留点間隔が調整できなくてもワイシャツ一般に対して実用可なものが提供される。この場合［００９３］に言う前振れ量は図３、図１１の場合共２５ｍｍ以内、横振れ量は図３で最大約５ｃｍ程度、図１１で２５ｍｍ以内となる。
【００９７】
図７２の実施例は、係留点間隔をネジで調整し固定できる例で、図７２の５、６、７、８、９、１０、１１、１２は図３のバー式とめ具とチェーンで、ＭよりＬは長く、よって５と８は釦穴に差込み前立につけられる。上部のチェーン１１の下端３０４は、中実軸３０１の上端を寸法Ｊの範囲だけ両側をそぎ落とした面３０５に設けた穴３０６に係止されている。中実軸３０１は全長Ｅの中Ｄの範囲に径Ｈのオネジがあり、残部はオネジの谷径以下の径Ｐの円柱軸となっている。３０３は外径Ｎのダブルナットで、全長下の中Ｃの範囲に径Ｈのメネジがあり、３０１のオネジとはめ合わされている。３０２は外径Ｎのナットで、全長Ｇの中Ｂの範囲に径Ｈのメネジがあり、３０１のオネジとはめ合わされている。３０２の他端にはピン３０８が圧入固定されており、ピン３０８には下側のチェーン１２の上端のカン３０７がはめられている。よって、軸３０１は図７２の位置から図７３の位置までの寸法Ａの範囲内で任意の位置に移動できダブルナット３０３で固定できるので、バー式とめ具５と８の間の距離を図７２のＱから図７３のＲまでの範囲で設定できる。
例えば、Ａを２３ｍｍ、Ｂを７ｍｍ、Ｃを３．５ｍｍ、Ｄを３０ｍｍ、Ｅを１０９ｍｍ、Ｆを２６．５ｍｍ、Ｇを２８．５ｍｍ、ＨとＪとＫを各々２ｍｍ、Ｌを１０ｍｍ、Ｍを７．５ｍｍ、Ｎを２．５ｍｍ、Ｐを１．２ｍｍ、とするとＱが７７ｍｍ、Ｒが１００ｍｍとなり、その差２３ｍｍ調節可能で、［００９４］に記載の釦ピッチ７７ｍｍから１００ｍｍのいずれにも一致させられる。
【００９８】
図７４は、図３の実施例に剛体のチューブ４０１を挿入したもので、剛体の長さを係留点９１と９２の間隔からバー式とめ具の係留点より端までの長さＷを差し引いた長さ以下にして、バー式とめ具が釦穴に装着可能で、かつ図２７の実施例の剛体の連結体と同じ効果、すなわち横ぶれを小さくおさえる効果をもたせ、かつ、チューブをバー式とめ具が通れるようにチューブの内側の形を定めたもので、剛体チューブの着脱により、図３としても、また、図２７の効果をもたせて使うこともできる特徴をもつ。
【００９９】
図７５は、図７４のチューブ４０１に代り、チューブ４０２と４０３がマサツをもって摺動できるハメアイとなっている剛体としたもので、係留点よりＷ寸法よりやゝ長いＬ寸法のところのカン４０６，４０７が、チューブ４０２，４０３各々の端近くにある穴４０４，４０５にも連結してあり、チューブの全長Ｅは、Ｃだけ縮むことができる。例えば、図７６において、Ｗを８ｍｍ，Ｌを１１ｍｍ，Ｃを３０ｍｍ，Ｅを７８ｍｍ，Ｄを５ｍｍ，とすると係留点間隔は７０ｍｍから１００ｍｍの間で、着用したワイシャツに装着時姿勢に応じて適当な係留点間隔になる特徴が得られる。なおこの例の場合、チェーンの最大巾は１．５ｍｍで、チューブの内径内で、屈曲可能としてあり、かつ横ぶれはＬ寸法１１ｍｍにおさまるものが提供される。
【０１００】
図３，図１の実施例でさらに横振れを抑える例として、図７８，図７９，図８０，図８１の実施例を示す。これらはネクタイのループの横方向の中央に、図３，図１のとめ具の少くとも一方例えば５とつなぎ部分を通せるもの、すなわち図７８ではハト目穴４１２、図７９では、縦方向に長い釦穴４１３、図８０に於ては足袋の小はぜ状のループ４１４，図８１においては小さいループ４１５等を付加したもので、図３のバー式とめ具の一方とそれに連なるチェーンやひもを、ネクタイのループではなく、これら付加したものに通すことで、ループ巾と付加したものの横巾の差の約半分だけ横振れを軽減できる特徴が得られる。
【０１０１】
図８２の実施例は、図３のとめ具８に代わる引掛式とめ具で、チェーン１１の端のカン１０に係止されるカン部分５０５と、５０５と一体のバネ片５０１及び、突当り５０３を経て一体のバネ片５０２とから成り、５０１と５０２の圧接点５０４にて、図８３示すように前立１７１の釦孔１４１に５０２の先端５０６を、突当り５０３が釦孔の端に当たるまで差しこんだとき、圧接点５０４にて前立１７１に該引掛式とめ具は固定され、チェーン１１は、釦孔の一端に拘束される。バネ片材料は、巾が釦厚さ以下のバネ性をもつ線材である。
【０１０２】
突当りから先端５０６までの長さは釦孔１４１と前立１７１の縁までの距離より小さくして、該引掛式とめ具が水平になっても先端５０６が前立の縁から顔を出さないように、かつ釦孔の長さから釦の半径と釦のとめ糸の巾の半分を差引いた値より大として、該引掛式とめ具が釦孔から外れにくく構成されている。
カン部分は、突当り５０３と同位置か、寸法Ｃだけわずかに先端５０６寄りにおさめて、該引掛式とめ具が釦のピッチ線より傾いても横振れが増さず、かつ、チェーンが前方向に力をうけても釦孔から外れにくく構成されている。
［００９４］の値から、一般的には、突当りから先端までの長さは１４ｍｍ以下で７ｍｍ以上、Ｃ寸法は０ｍｍ以上でできるだけ短く、線材の巾は１．５ｍｍ以下とされている。
【０１０３】
図８４のバー式とめ具５１０は、孔５１１の直径Ｄは図８３に示すチェーン１１の包絡円径より大きく、チェーンを滑動でき、チェーン末端のカン７に連結した抜けどめ５１３より小さい。またバー式とめ具５１０と抜けどめ５１３の間のチェーンに、手動で可動だが内径がＤより小さくチェーンにしまりつき、ネクタイの自重程度では動かないゴム材のリング５１２をはめてあり、リングを５２２の位置まで動かすことで、前立釦孔への係留点間隔Ｂは最大Ａまで調節可能になっていてつなぎ部の有効長さが調節可能なものが提供される。
【０１０４】
図８５の実施例は、バー式とめ具５３０自体をゴム製とし、図８３のバー式とめ具５１０とゴム材のリング５１２の代りに用いるものである。この場合穴５３１の径ｄはチェーンに締まりつきかつ手動で可動な大きさとしてある。図８３のリング５１２や図８５のとめ具の材料としては圧縮復元力の耐寒性、耐摩耗性、耐候性の優れたものとしてウレタン系ゴム材があげられる。
【０１０５】
また、抜けどめ５１３，リング５１２，バー式とめ具５１０あるいは５３０はすべて釦をかけた釦孔に表から裏へ通せる大きさと形状としてある。すなわち、厚さは釦厚さ以下，巾は釦孔の長さから釦の半径と釦のとめ糸の巾の半分を差し引いた値以下としてある。例えば、バー式とめ具の巾３ｍｍ，厚さ１ｍｍ，孔５１１のＤは２．４ｍｍ，孔５３１のｄは１．６ｍｍ，チェーンの包絡円径は２ｍｍとされる。
【０１０６】
図６３，図６９，図７１，図７７，図８２各図の寸法Ｃをゼロかゼロより大きくすることは、前立用クリップが抜けにくく、かつ前立がめくれる力をうけないために望ましいが、ネクタイが前に垂れ下がることの抑制、及び横振れを小巾にとどめる為だけには必須の条件ではない。
【０１０７】
図６４の寸法Ｅ，図６８の寸法Ｅ，図７１の寸法Ｅ，図７７の寸法Ｅはゼロかゼロより大であることがループ用クリップが抜けにくい為には望ましいが、クリップの圧接力を強くするなり圧接部の形状を凹凸にするなりして抜けないようにもできる。ので必須の条件ではない。
【０１０８】
図８６は図３のバー式とめ具に代えて、図８７に示すボタンカバー式とめ具５３０を用いた実施例で、図８７の５３０は弾性のあるバネ材より成り、５３０の折り曲げ爪５３４と５３５と５３６の内接円は、図８６の前立の釦１５０，１５５の外周にかぶる大きさで、５３６には折曲げられたフォーク片５３２と５３３が連なり、フォークの内側の溝巾は、前立の釦のとめ糸の最大径より大きく、その最少半径と釦の最少半径を加えた寸法よりは小さく、図８７のフォークの先端５３８，５３９は釦カバー５３０の下端５３７より突出していて、先端５３８，５３９を前側前立１７１と釦１５０，１５５の間に差しこみ、釦カバー５３０を前側に引いてさらに差しこめば５３０が釦１５０，１５１にかぶさり、爪５３４，５３５，５３６と釦カバー５３０とフォーク５３２，５３３で５３０は釦に係留され、５３０の中央にはカン５３１が固定されており、チェーン１１の両端のカン１０，７が連結されているネクタイどめが提供される。
【０１０９】
図９０は、図６１の２０と同型の前立用クリップ６２０の圧接点６４３，６４４の中央より下部に設けた孔６２１に連結した可撓性のつなぎ部材であるひも６２２の他端６２３が、クリップ６２０を潜らせ得る穴６２４をもつ拘束部材６２５の穴６２６に連結され、拘束部材６２５を、ネクタイの大剣に６２６と６２７でぬいつけられているネクタイのループ６２８を潜らせた後、孔６２４にクリップ６２０を潜らせて６２１を引き拘束部材６２５とひも６２２でループの中央付近をしめつけると、ひも６２２と拘束部材６２５の接触位置が拘束部材６２５の孔６２４の頂点６２９に落ちついてループが前立用クリップ６２０に拘束できて、６２０を前立にとりつければループが前立に拘束でき、寸法Ａをループの上下方向の巾Ｂよりやゝ小さくしておけば、ループの中央付近をつなぎ部材の中間部に拘束できる実施例である。
【０１１０】
図９１の実施例は、図６１の２０と同類の前立用クリップに、図７０の３６０と３７０に相当するつなぎ部材を連結する連結点６６１，６６２を２個所に設けた前立用クリップ６５０に、頂点を６５１とするＶ字の斜面６６３，６６４を設けた板状拘束部材６６５に２個所の穴６６６，６６７を設け、６６１と６６６，６６２と６６７を各々つなぎ部材としてのひも６６８と６６９で連結し、図９０と同じループ６２８に板状拘束部材６６５を潜らせてからＶ字とループの空間に前立用クリップ６５０を通して引き絞ると、図９２に示すごとくひも６６８と６６９がＶ字の頂点６５１に、角度Ｙは６０度以内でありひも６６８と６６９が斜面６６３と６６４をすべる角度としてあるため落ち着いて、図９２での板状拘束部材の連結点６６６，６６７とＶ字の頂点６５１の距離Ａが、ループの上下方向の巾Ｂよりやゝ小さくしてあるため、ひも６６８，６６９と板状拘束部材６６５で内包される空間６７０，６７１にネクタイの大剣６７２に固定のループ６２８が前立用クリップ６５０に拘束され、前立用クリップ６５０をワイシャツの前立にとりつければ、前立にループが拘束されるネクタイどめが提供される。
【０１１１】
なお、図９２において、前立への圧接点の上下方向の巾を振分けた中心線６７３より連結点６６１，６６２を下方にＣ寸法ずらせることにより、前立用クリップが下方へつなぎ部よりの力をうけたときの垂直面よりの傾きは緩和される。これは、図６０，図６１，図７０，図７６，図９０にも共通して言える。
【０１１２】
図９３の実施例では、大剣の裏面２６に固定されたループ２８のワイシャツ側に面する面の中央位置７０１に一端を固定された  ひも７０２の他端７００３に輪ゴム部７０４が連結され、輪ゴム部の内側の中央７０７と固定点７０１の距離Ａは、前釦ピッチの半分以上かつできるだけ短かい寸法で、ネクタイを着用後小剣１７１の先端３０をループ２８に潜らせた後、図９４の様に輪ゴム部７０４をワイシャツの前釦の中で最も近い前釦１５０にはめて拘束する。
【０１１３】
輪ゴム部の内周長さは、前釦にかける為には、釦の直径と釦の外周の半分の和の長さは必要だが、輪ゴムの弾性限界内の伸びは２倍迄は可能でありその和の５０％以上とし、自然に外れてしまわないようにする為に７０％以上とする。輪ゴムで絞る巾着式ボタンカバーを付加すると着脱がより容易になる。
【０１１４】
すなわち、ネクタイのループのワイシャツに向く面（以下ループ表面）上の大剣の巾の中心付近にある固定端と、前立部分の前釦と、釦留め糸に着脱可能な前立着脱取付部材と、両者を連結するつなぎ部より成るネクタイと一体で、一体のまゝクリーニングも可能な請求項１に記載のネクタイどめが提供される。
【０１１５】
また、図９３のつなぎ部であるひも７０２と前立用着脱取付部である輪ゴム部が組立てられたものを部組品として用意しておき、既製のネクタイのループ部の中央（図９３の７０１相当の位置）に、ネクタイのリフォームとして注文に応じて縫いつける等固定し、図９３の実施例の形とすることも可能である。
また、ネクタイのリフォームとしてループの中央（図９３の７０１相当の位置）に前釦と同形の釦をワイシャツに向く側に向けて取りつけ、一方つなぎ部としてのひもの両端に輪ゴム部をつけたものを用意すれば、釦つきネクタイとそれ専用の請求項１に記載の図９９に実施例を示すネクタイどめが提供される。
図９９の実施例において、９０２はつなぎ部としてのひもで、両端９０１，９０２において、前釦とループ中央に取付けられた釦の双方に着脱取付可能な取付部である輪ゴム部９０４，９０５に連結されていてその中央間距離Ａは前釦ピッチの半分以上で、かつなるべく短い寸法としてあり用法は［０１１２］と同様である。
【０１１６】
図９５の実施例では、ループ２８のワイシャツ側に面する面の、中央に対して対称な位置７１１と７１２に一端を固定された同じ長さのひも７１３と７１４の他端が連結点７１５にて輪ゴム部７０４に連結され、輪ゴム部の内側の中央７０７と、２個所の固定端７１１と７１２を結ぶ線分との距離Ａは、前釦ピッチの半分以上で、かつできるだけ短い寸法で、ネクタイを着用後、小剣１７１の先端３０をループ２８に潜らせた後、図９６のように輪ゴム部７０４をワイシャツの前釦の中で、胸を張ってネクタイの大剣の先を下にいっぱいに引いたとき固定端７１１と７１２を結ぶ線に最も近い前釦１５０にはめることでルーープが前立部分に拘束される。なお、ひも７１３と７１４は、前後方向の可撓性がありクリーニング可能であればよく、よって糸や布地，ゴムひもでもよい。
【０１１７】
つなぎ部がＶ字状であり、図７０の実施例と同様に左右方向の自由度が抑えられ、上下方向の自由度は維持され、つなぎ部に異方性がある特徴が得られる。
【０１１８】
図９５の固定端７１１と７１２の位置はループ２８のループ表面に限ることなく、ループの両縁７１６，７１７でもよく、また、ループの上縁７１８と下縁７１９の延長線に狭まれた大剣の裏面上の領域でもよい。さらには、固定端７１１と７１２の間隔が、小剣を通せる巾以上であれば、ループより上あるいは下の大剣の裏面上でもよいが、この場合はネクタイ着用時、小剣をループに通すと同様にＶ字を潜らせる操作が必要となる。
【０１１９】
すなわちループ縁部を含むループ表面上あるいは大剣の裏面上のループで拘束されている小剣の可能域外にて、左右対称位置にある固定部と、前立部分に着脱可能に取り付く取付部材と、両者を連結するつなぎ部材とより成る、ネクタイと一体で、一体のまゝクリーニングも可能なネクタイとネクタイどめが提供される。
【０１２０】
図９７の実施例では、ループ２８のワイシャツに面する面の下縁８０１に連なる布８０４がつなぎ部としてあり、その一端に前立着脱用取付部として前釦孔と同形の釦孔８０５があり、前立部分の前釦１５０に着脱することで前立に着脱でき、ループの下縁８０１と釦孔８０５の中央の距離Ａは、前釦ピッチの半分以上で、かつできるだけ短い寸法で、ネクタイを着用後、小剣１７１の先端３０をループ２８に、従ってつなぎ部８０４に潜らせた後、図９８のように釦孔８０５をワイシャツの前釦の中で、胸を張ってネクタイの大剣の先を下にいっぱいに引いたときループの下縁８０１に最も近い前釦１５０にはめることでループが前立部分に拘束されるネクタイとネクタイどめが提供される。
【０１２１】
図９３，図９４，図９５，図９６，図９７，図９８においては、１４１は前釦孔、１７０はワイシャツの前釦がつけられている前立の布，１４７は前釦孔のある前立の布であり、図９３の７０２，図９５の７１３と７１４，図９７の８０４はつなぎ部である。
【０１２２】
寸法の例としては、図９３，図９５，図９７，図９９のＡを５０ｍｍとすると、前釦のピッチが１００ｍｍまでのワイシャツに拘束可能なネクタイとなり、殆どのワイシャツに共用可能となる。
【０１２３】
図９５，図９７の場合、体を例えば右に傾けた場合、傾けた側の固定点（図９５では７１２，図９７では８０３）と前立を拘束する点（図９５では７０５、図９７では８０６）との間が伸びきり、もう一方の固定点との間はたるむので、後者の固定点がワイシャツの前立から離れる方向にネクタイの大剣がねじれて浮くが、図９３の場合は固定点（図９３の７０１）が中央にあるのでその恐れはないという特徴がある。
【０１２４】
以上のように、ネクタイのループの縁部を含むループの表面上、あるいは大剣の裏面上のループで拘束された小剣の可動域外に、大剣の左右の巾の中心か、または中心に対し左右対称の位置にある固定部と、前立部分に着脱取付けが可能な前立着脱取付部と、取付部と固定部を連結するつなぎ部とより成る、ネクタイと一体で、一体のまゝクリーニングも可能なネクタイとネクタイどめが提供される。
【０１２５】
［０１２３］に記載したねじれて浮く現象について、図７０の場合は、体を傾けた側と反対側の前立着脱取付用クリップ上の固定点と、ループ用着脱取付用クリップ上の連結点とのつなぎ部が伸びきりループの中央付近をひきつけるので、図９３の場合と同様に、その恐れはないという特徴がある。
【０１２６】
図１００の実施例は、バー式とめ具９０８の中央の孔９０９に、つなぎ部としてナイロン糸のような前釦孔４９，５２の端面との摩擦係数の小さい素材の糸９１１を取りつけ、その他端には、前釦孔５２を潜れない形状でも良いが、前釦孔５２と前立の外縁との距離より小さい巾Ｗをもち、厚さＴは釦留糸の高さＨ以内の板状のおもり板９１０の端の孔９１２が取りつけられており、バー式とめ具９０８を表側前立５３の裏側よりループ直下の釦孔５２に通してから、さらにループ２８の中を潜らせた後、上記釦孔５２の直下の釦孔４９に前立５３の表側より挿入し取りつける。図１０１の２６は大剣、１７１は小剣を示す。糸９１１のつなぎ部としての係留点は９１３と９１４で、係留点間隔Ａは、前釦ピッチ以上でその１．３倍以下とされていて、板状のおもり板９１０の重量はネクタイの総重量以下でその５０％以上としてあり、斜面９１５と９１６部分があって、より下位の釦留糸におもり板が身体を前屈していって接触してもつっかからずに降りられる。以上の構成によりネクタイのループが前立に拘束されて、前屈姿勢をとった時のつなぎ部の糸９１１のたるみはおもり板９１０の重みで引きのばされる力を常時うけているために軽減されて、結局ネクタイの前振れ、さらには同様に横振れが軽減される特徴を持つネクタイどめが提供される。
さらには［００３２］に記載のループクリップ滑動部材も前釦孔５２を潜れる細身のものであれば併用できる。
【０１２７】
本発明の名称は「ネクタイどめ」であり、その区分は広いが、明細書の記載から分かるように、本発明品についてのユーザーの理解を容易にさせる本発明の特徴を表すキーワードとしては、表に出ないという意味から「かくれ」「かくし」「裏」等、動きを制約される対象としては「ネクタイ」「タイ」「ループ」等、果す役割という意味からは「とめ（どめ）」「クリップ（クリッパー）」「キャッチ（キャッチャー）」「キープ（キーパー）」「ホールド（ホールダー）」等、形状を示す言葉としては「チェーン」「バンド」等がある。
【０１２８】
よって、それらの組合せ、例えば「かくしネクタイどめ」「かくれタイキャッチ」「タイ裏クリップ」「タイ裏ループキャッチ」等が、より直接的に本発明の特徴を示す名称となる。
【０１２９】
以上、本発明をさらに詳細に説明するために、実施例を挙げて具体的に説明したが、本発明はこれらの実施例に限定されるものではない。
【０１３０】
［発明の効果］
以上説明した通り、本発明によれば、ネクタイのループ（別名  小剣通し）をワイシャツの前立の中央付近、あるいは前釦孔、あるいは前釦、前釦留糸の束、に拘束することを特徴とするネクタイどめにより、前かがみになってもネクタイが大きく前に垂れ下がることなく、上半身を左右に傾けた時ネクタイが横に大きく振れるのも抑制される等ワイシャツからネクタイが離れるどの方向への振れも抑制され、一方前傾時のネクタイのたるみ発生もループの上下動が可能な範囲があって抑制され、また少くとも直立姿勢ではネクタイどめは外観に出ないのでネクタイの柄とのマッチングに気をつかう必要が無く、従って多くのネクタイに共用でき、ネクタイの外観部分はもち論どこも傷つけること無く装着でき、仰向いた後のネクタイのたるみの発生やネクタイどめの姿勢や位置が変化することも無く、さらにはネクタイとの一体化や後付け、ワイシャツとの一体化も可能な形もあるという利点を有するネクタイどめが提供される。
【図面の簡単な説明】
【図１】掛輪とチェーンとバー式とめ具の組立図正面図である。
【図２】図１の測面図である。
【図３】バー式とめ具２点とチェーンの組立図正面図である。
【図４】図３の側面図である
【図５】
【図６】
【図７】
【図８】バー式とめ具の各種の正面図と側面図，断面図である。
【図９】チェーンを滑動し、ループにとめられるクリップの正面図（左）と側面図（右）である。
【図１０】チェーンの端につき、前立にとめられるクリップの正面図（左下）と側面図（上）とＭ−Ｍ線断面図（右下）である。
【図１１】図３のチェーンに図９のクリップがつけられた組立図正面図である。
【図１２】図１１の側面図である。
【図１３】バー式とめ具とチェーンと図１０のクリップの組立図正面図である。
【図１４】上部は図１３の側面図、下部はＮ−Ｎ線断面図である。
【図１５】図１６のＡ−Ａ線断面図である。
【図１６】ワイシャツの前釦とそのとめ糸と前立の組立図正面図である。
【図１７】従来型のネクタイピンの側面図とネクタイと前立の断面図である。
【図１８】及
【図１９】ネクタイに図１７のネクタイピンがとめられた正面図である。
【図２０】ネクタイの体を前屈したときの位置を示す説明図である。
【図２１】布製の本案によるネクタイどめの一種の正面図である。
【図２２】図２１の側面図である。
【図２３】及
【図２４】図２１のネクタイどめを前立部につけた状態での図２１のＫ−Ｋ線断面図である。
【図２５】掛輪と剛体を含むつなぎ部とバー式とめ具の組立図正面図である。
【図２６】図２５の側面図である。
【図２７】バー式とめ具２個と剛体を含むつなぎ部の組立図正面図である。
【図２８】図２７の側面図である。
【図２９】ネクタイの説明図である。
【図３０】キャッチ式ストッパー付の従来型の一種のネクタイどめ説明図である。
【図３１】長さ調節用の溝を有する掛輪とチェーンの組立図正面図である。
【図３２】及び
【図３３】図３１の部分的Ｓ−Ｓ線断面図である。
【図３４】長さ調節用の溝を有する掛輪とチェーンの部分的組立図正面図である。
【図３５】図３４のＴ−Ｔ線断面図である。
【図３６】バー式とめ具とチェーンと長さ調節用の溝を有するカンの部分的組立正面図である。
【図３７】図３６のＷ−Ｗ線断面図である。
【図３８】従来品のネクタイどめの一種の説明用側面図である。
【図３９】図３のバー式とめ具２点付きチェーンに図４１のクリップをつけた組立図正面図で、クリップは側面図である。
【図４０】図３のバー式とめ具２点付きチェーンに図４２のクリップをつけた組立図正面図で、クリップは側面図である。
【図４１】図３９のバネ式クリップ部品の立体図である。
【図４２】図４０のバネ式クリップ部品の立体図である。
【図４３】クリップどめ開閉式クリップ部組品の立体図である。
【図４４】図４３のクリップ部組品の組立図正面図である。
【図４５】図４４のクリップ部組品のＹ−Ｙ線断面図である。
【図４６】ループ通し付き前立の部分的正面図である。
【図４７】図４６のＵ−Ｕ線断面図である。
【図４８】分離型のループ通しと前立の組立図正面図である。
【図４９】図４８のＶ−Ｖ線断面図である。
【図５０】巾のせまいループ通し付き前立の部分的正面図である。
【図５１】図５０のＷ−Ｗ線断面図である。
【図５２】釦外れどめ付きの掛輪（レモンカン）の正面図である。
【図５３】図５２の掛輪（レモンカン）のＡ−Ａ線断面図である。
【図５４】図５２の掛輪（レモンカン）の立体図である。
【図５５】釦外れどめを両面に設けた掛輪（レモンカン）の正面図である。
【図５６】図５５の掛輪（レモンカン）のＢ−Ｂ線断面図である。
【図５７】図５５の掛輪（レモンカン）の立体図である。
【図５８】半絞りによる釦外れどめ付きの掛輪（レモンカン）の立体図である。
【図５９】引輪の正面図である。
【図６０】図１０のクリップと図４１のクリップとつなぎ部の組立立体図である。
【図６１】図６３のクリップと図４１のクリップとつなぎ部分の組立立体図である。
【図６２】図６３のクリップの正面図である。
【図６３】釦の逃げを設けたクリップの側面図兼取付け説明図である。
【図６４】図４１のクリップの正面図である。
【図６５】図４１のクリップの側面図である。
【図６６】連結部がクリップと一体化した立体図である。
【図６７】図６６の正面図である。
【図６８】図６７のＦ−Ｆ線断面図である。
【図６９】図６７のＧ−Ｇ線断面図である。
【図７０】図７６のつなぎ部を２本のチェーンとした立体図である。
【図７１】図７０の側面図である。
【図７２】及び
【図７３】図２７の剛体部を、ネジによる長さ調節式とした断面図である。
【図７４】図３のつなぎ部を必要に応じ剛体化を可能とした断面図である。
【図７５】図２７の剛体部を、伸縮可能とした断面図である。
【図７６】図６０の二つのクリップ各々を、洗濯ばさみ式バネ式クリップとした立体図である。
【図７７】図７６の側面図である。
【図７８】ネクタイのループにハト目孔を設けた実施例と図３実施例との組合せ立体図である。
【図７９】ネクタイのループに縦方向に長い釦穴を設けた実施例と図３の類形の実施例との組合せ立体図である。
【図８０】ネクタイのループに足袋の小はぜ状のループを設けた実施例と図３の類形の実施例との組合せ立体図である。
【図８１】ネクタイのループに小さいループを設けた実施例と図３の類形の実施例との組合せ立体図である。
【図８２】前釦孔にかけるとめ具の実施例の側面図である。
【図８３】図８２のとめ具を前立に装着し、下方のとめ具には図８４のとめ具とゴムリングをはめた実施例の側面図である。
【図８４】図８３のチェーンを滑動できる穴をもつバー状とめ具の立体図である。
【図８５】ゴム材で形成したバー状とめ具の側面断面図である。
【図８６】ボタンカバー式とめ具２点とチェーンの組立図側面図である。
【図８７】ボタンカバー式とめ具の正面図である。
【図８８】図８７の側面図である。
【図８９】図８７の背面図である。
【図９０】ループをつなぎ部の中間に拘束する組合せ立体図である。
【図９１】ループを２本のつなぎ部の中間にＶ字に拘束する組合せ立体図である。
【図９２】図９１の裏面図である。
【図９３】ループにつなぎ部が固定されたネクタイ大剣の背面図である。
【図９４】図９３の組合せ側面図である。
【図９５】ループにＶ字状のつなぎ部が固定されたネクタイ大剣の背面図である。
【図９６】図９５の組合せ側面図である。
【図９７】ループ下縁がつなぎ部として延びているネクタイ大剣の背面図である。
【図９８】図９７の組合せ側面図である。
【図９９】釦付きループ用のネクタイとめ具の正面図である。
【図１００】おもり板つきネクタイとめ具の正面図である。
【図１０１】図１００の組合せ側面図である。
【図１】
2004230133.tif 000003
【図２】
2004230133.tif 000004
【図３】
2004230133.tif 000005
【図４】
2004230133.tif 000006
【図５】
2004230133.tif 000007
【図６】
2004230133.tif 000008
【図７】
2004230133.tif 000009
【図８】
2004230133.tif 000010
【図９】
2004230133.tif 000011
【図１０】
2004230133.tif 000012
【図１１】
2004230133.tif 000013
【図１２】
2004230133.tif 000014
【図１３】
2004230133.tif 000015
【図１４】
2004230133.tif 000016
【図１５】
2004230133.tif 000017
【図１６】
2004230133.tif 000018
【図１７】
2004230133.tif 000019
【図１８】
2004230133.tif 000020
【図１９】
2004230133.tif 000021
【図２０】
2004230133.tif 000022
【図２１】
2004230133.tif 000023
【図２２】
2004230133.tif 000024
【図２３】
2004230133.tif 000025
【図２４】
2004230133.tif 000026
【図２５】
2004230133.tif 000027
【図２６】
2004230133.tif 000028
【図２７】
2004230133.tif 000029
【図２８】
2004230133.tif 000030
【図２９】
2004230133.tif 000031
【図３０】
2004230133.tif 000032
【図３１】
2004230133.tif 000033
【図３２】
2004230133.tif 000034
【図３３】
2004230133.tif 000035
【図３４】
2004230133.tif 000036
【図３５】
2004230133.tif 000037
【図３６】
2004230133.tif 000038
【図３７】
2004230133.tif 000039
【図３８】
2004230133.tif 000040
【図３９】
2004230133.tif 000041
【図４０】
2004230133.tif 000042
【図４１】
2004230133.tif 000043
【図４２】
2004230133.tif 000044
【図４３】
2004230133.tif 000045
【図４４】
2004230133.tif 000046
【図４５】
2004230133.tif 000047
【図４６】
2004230133.tif 000048
【図４７】
2004230133.tif 000049
【図４８】
2004230133.tif 000050
【図４９】
2004230133.tif 000051
【図５０】
2004230133.tif 000052
【図５１】
2004230133.tif 000053
【図５２】
2004230133.tif 000054
【図５３】
2004230133.tif 000055
【図５４】
2004230133.tif 000056
【図５５】
2004230133.tif 000057
【図５６】
2004230133.tif 000058
【図５７】
2004230133.tif 000059
【図５８】
2004230133.tif 000060
【図５９】
2004230133.tif 000061
【図６０】
2004230133.tif 000062
【図６１】
2004230133.tif 000063
【図６２】
2004230133.tif 000064
【図６３】
2004230133.tif 000065
【図６４】
2004230133.tif 000066
【図６５】
2004230133.tif 000067
【図６６】
2004230133.tif 000068
【図６７】
2004230133.tif 000069
【図６８】
2004230133.tif 000070
【図６９】
2004230133.tif 000071
【図７０】
2004230133.tif 000072
【図７１】
2004230133.tif 000073
【図７２】
2004230133.tif 000074
【図７３】
2004230133.tif 000075
【図７４】
2004230133.tif 000076
【図７５】
2004230133.tif 000077
【図７６】
2004230133.tif 000078
【図７７】
2004230133.tif 000079
【図７８】
2004230133.tif 000080
【図７９】
2004230133.tif 000081
【図８０】
2004230133.tif 000082
【図８１】
2004230133.tif 000083
【図８２】
2004230133.tif 000084
【図８３】
2004230133.tif 000085
【図８４】
2004230133.tif 000086
【図８５】
2004230133.tif 000087
【図８６】
2004230133.tif 000088
【図８７】
2004230133.tif 000089
【図８８】
2004230133.tif 000090
【図８９】
2004230133.tif 000091
【図９０】
2004230133.tif 000092
【図９１】
2004230133.tif 000093
【図９２】
2004230133.tif 000094
【図９３】
2004230133.tif 000095
【図９４】
2004230133.tif 000096
【図９５】
2004230133.tif 000097
【図９６】
2004230133.tif 000098
【図９７】
2004230133.tif 000099
【図９８】
2004230133.tif 000100
【図９９】
2004230133.tif 000101
【図１００】
2004230133.tif 000102
【図１０１】
2004230133.tif 000103
【手続補正書】
【提出日】平成15年2月19日(2003.2.19)
【手続補正１】
【補正対象書類名】明細書
【補正対象項目名】０００６
【補正方法】変更
【補正の内容】
【０００６】
図３８の１１２の両端のカン１１１，１１３をつなぐチェーン１１４にネクタイ４３を差込む方式は、テーパを持つ大剣の外縁の巾と１１２の巾がほぼ一致する場所に１１２をつける必要が外観上あり、その上［０００４］と同じ事も言える。
また、小剣をループに通した後、小剣のみをループの上側か下側で図２９に例示のネクタイどめで前立にクリップすることもできる。しかし、ループの下側でクリップした時は、前傾姿勢時にループから下側に垂れ下がる大剣とクリップで前立に固定された固定点から垂れ下がる小剣が離れて垂れ下がるのが横から見えてしまう上、さらに横傾姿勢時に正面から見て小剣の前立への固定点から下側の縁が大剣の縁から小剣の先に寄る程大きくはみ出てきて見栄えが悪い。またループの上側でクリップした時は、横傾姿勢時に正面から斜め前方にかけてより見て、小剣の前立への固定位置の前後の外縁部分が大剣の縁からはね出てきて見え、あるいは前傾姿勢時に固定位置を頂点に小剣が屈曲して大剣より離れているのが横から見えるなどこれまた見栄えが良くない。それに対して、後逑のループを前立部分に拘束する実施例では大剣と小剣は現在大勢を占めるネクタイどめ無しの場合と同様にいつもどこも寄りそい重なりあっているので大勢の好みにあった見栄えが得られるという特徴がある。また実施例のうちで着脱が可能なネクタイどめについては、着用中はネクタイかワイシャツか或はその双方に別々の複数箇所で取付けられている為に、従来品の取付箇所が１ヶ所のものに比べて万一取付箇所が１箇所外れてしまった事態が知らぬ間に生じても落下せず知らないうちに紛失してしまう確率は非常に低いという特徴もある。


【手続補正２】
【補正対象書類名】明細書
【補正対象項目名】０００７
【補正方法】変更
【補正の内容】
【０００７】
［発明が解決しようとする課題］
最近ネクタイどめをつけないケースが増加しているが、頭を下げる等前傾姿勢をとった時にはネクタイは特に背広の釦をかけてないと大きく前に垂れ下がることとなり、また上半身を横に傾けたときネクタイが横に振れてワイシャツの前釦が正面から見て数多く見えたり、あるいは前傾姿勢時や横傾姿勢時に大剣側と小剣側が部分的にでも離れて見えたり、見栄えが良くない。それに対して、少くとも直立姿勢の時には外観に出ず、従ってネクタイの柄とのマッチングに気づかいは無用で、ネクタイを傷つけることも無く、着脱の際も一体のまゝで可能で一部を紛失する恐れも無く、装着の位置決めが容易、上を向いてあおむいた後でもネクタイがたるむこと無く、背広の釦をかけていなくてもあるいはワイシャツ姿であっても前傾をした時にネクタイが大きく前に垂れ下がることを防げ、あるいは上半身を横に傾けた時ネクタイの下からワイシャツの前釦が正面から見て数多く見えてくるのを軽減または無くせるようにネクタイの横への振れ巾をも抑制して、前方向横方向のみならずワイシャツから離れるどの方向への振れも抑制できて、その一方ネクタイの上下動が制約される為に発生するネクタイのたるみも抑制され、また前傾姿勢時や横傾姿勢時に大剣側と小剣側が部分的にでも離れて見えたりすることも無く、さらにはネクタイへの一体化や後からつけるリフォームとかワイシャツとの一体化も可能なネクタイどめを提供することにある。


【手続補正３】
【補正対象書類名】明細書
【補正対象項目名】００９５
【補正方法】変更
【補正の内容】
【００９５】
ネクタイがワイシャツから離れる前振れの距離の望ましい限度（すなわち抑制が望ましい寸法の範囲）としては、シングルの背広の上着を着用し背広の前釦を外した状態で前傾した時に、釦孔と前釦のある背広の外縁が前に出るが、その縁より内側（ワイシャツ寄り）に残っていて横から見て背広からネクタイがはみ出していない範囲であることが望ましい。具体的にはワイシャツの前釦のピッチの８０％程度に相当し、平均的前釦ピッチ約９ｃｍに対しては約７ｃｍ位で、ループのたわみの最大を２ｃｍ程度として差し引くと、ループを拘束する点に望まれる前振れの距離（前振れ量）は５ｃｍ以下、すなわち前釦のピッチの６０％以下程度というのが一つの目安となり［００９３］の記載と比べて分かる様に、以上のような観点からも各実施例は効果的と言える。
なお、ループに芯を縫い込んだりしてループを曲げに強くしていけば、上記のループのたわみの最大寸法（２ｃｍ程度）は減らしていける。さらにはワイシシャツの襟先に曲りどめ用プラスチック板を挿入する例の様にプラスチック板を挿入するなり縫い込めばこのたわみは殆ど無くせて、２ｃｍを差し引く必要はなくなり、この場合はループを拘束する点に望まれる前振れ量は７ｃｍ以下程度となる。このような曲げに対する強化により、前振れ量の軽減のみならず、前振れ時や横振れ時のネクタイのループの拘束による変形に伴うネクタイの大剣の外観に表れる変形も軽減される。このような強化策は新たに製作するネクタイのループや、図７８、図７９、図８０、図８１、図９３、図９５、図９７、図１０３等新たに設計する場合のネクタイのループに実施が薦められる。


【手続補正４】
【補正対象書類名】明細書
【補正対象項目名】０１１７
【補正方法】変更
【補正の内容】
【０１１７】
つなぎ部がＶ字状であり、図７０の実施例と同様に左右方向の自由度が抑えられ、以上方向の自由度は維持され、つなぎ部に異方性がある特徴が得られる。
また、図９３或は図９５の前立用着脱取付部である輪ゴム部７０４に代り、図３の８や図５〜図８に例示したバー式とめ具や、図１の２等の掛輪や、図１０の２１や図６２や図９０の６２１等のクリップ式とめ具や、図８２や、図８７等のボタンカバー式とめ具を取付けたものも提供される。このことは図９０の９０４や図１０２の７０４についても同じである。
また、輪ゴム部７０４を図１０の２１等のクリップ式とめ具とした場合には、図９３或は図９５のＡ寸法は図６０や図６１での連結点間隔や図７０のＧ寸法や図７６のＧ寸法に相当する寸法であり、よって図９５のＡ寸法を前釦のピッチに関係なく［００８８］に記載の望ましい寸法範囲１５ｍｍ以上２５ｍｍ以下におさめたものが提供できるという特徴が得られる。


【手続補正５】
【補正対象書類名】明細書
【補正対象項目名】０１２０
【補正方法】変更
【補正の内容】
【０１２０】
図９７の実施例では、ループ２８のワイシャツに面する面の下縁８０１に連なる布８０４がつなぎ部としてあり、その一端に前立用着脱取付部として前釦孔と同形の釦孔８０５があり、前立部分の前釦１５０に着脱することで前立に着脱でき、ループの下縁８０１と釦孔８０５の中央の距離Ａは、前釦ピッチの半分以上で、かつできるだけ短い寸法で、ネクタイを着用後、小剣１７１の先端３０をループ２８に、従ってつなぎ部８０４に潜らせた後、図９８のように釦孔８０５をワイシャツの前釦の中で、胸を張ってネクタイの大剣の先を下にいっぱいに引いたときループの下縁８０１に最も近い前釦１５０にはめることでループが前立部分に拘束されるネクタイとネクタイどめが提供される。
なお図２９に例示するネクタイのループ２８は大剣の表生地と同じ生地と柄でありその延長に連なるつなぎ部の布８０４も同じ生地と柄で作ることがデザイン上望ましい。また［０００８］に記載のごとくループとブランド札を兼ねさせたループの場合には別の生地と柄が使われるが、図９７の実施例のごとくする時は、ブランド札兼ループ及びつなぎ部すべて、あるいは少くともつなぎ部は、大剣の表生地と柄にそろえることがデザイン上望ましい。


【手続補正６】
【補正対象書類名】明細書
【補正対象項目名】０１２５
【補正方法】変更
【補正の内容】
【０１２５】
また、［０１１８］に説明した図９５の固定端７１１と７１２の位置に、ひも７１３と７１４の一端を固定する代りに前釦と同形の釦をループ上かループ横の大剣上のワイシャツに向く面に図１０３に示す釦９２１と釦９２２を取付ける。或は更に中央に［０１１５］に記載した釦９２３を付加える。一方図９５の輪ゴム部７０４に連結されたつなぎ部７１３及び７１４の固定端相当の端部に図１０２に示す様に釦用着脱取付部として７０４と同形式の輪ゴム部９０６と９０７をそれぞれに設けたものを用意すれば［０１１５］に説明したのと同様に釦つきネクタイとそれ専用の、ただし図９９をＶ字状化した図１０３の釦９２１と９２２に輪ゴム部９０６と９０７を着脱取付け可能なネクタイどめとネクタイが提供される。なお、中央の釦９２３を付加してある場合は図９９のネクタイどめも使用できるネクタイが提供される。なお、図１０３の２８はロープ、２６は大剣、１７１は小剣を示す。釦９２１と９２２はネクタイの中心より等距離Ｂにあり、釦９２３を加える場合は中心線上に置く。寸法Ａは［０１１６］と同様に前釦ピッチの半分以上で、かつできるだけ短い寸法とする。寸法の例としては［０１２２］と同様に例えば５０ｍｍとする。
［０１２３］に記載したねじれて浮く現象については、図７６の場合は図９３の場合と同様その現象が出る可能性は少なく、さらには図７０の場合は、体を傾けた側と反対側の前立用着脱取付クリップ上の固定点とループ用着脱取付クリップ上の連結点とのつなぎ部が伸びきりループの中央付近をひきつけるので図９３や図７６の場合よりさらに安心であるというそれぞれの特徴がある。


【手続補正７】
【補正対象書類名】明細書
【補正対象項目名】０１３０
【補正方法】変更
【補正の内容】
【０１３０】
［発明の効果］
以上説明した通り、本発明によれば、ネクタイのループ（別名  小剣通し）をワイシャツの前立の中央付近、あるいは前釦孔、あるいは前釦、前釦留糸の束、に拘束することを特徴とするネクタイどめにより、前かがみになってもネクタイが大きく前に垂れ下がることなく、上半身を左右に傾けた時ネクタイが横に大きく振れるのも抑制される等ワイシャツからネクタイが離れるどの方向への振れも抑制され、一方前傾時のネクタイのたるみ発生もループの上下動が可能な範囲があって抑制され、また少くとも直立姿勢ではネクタイどめは外観に出ないのでネクタイの柄とのマッチングに気をつかう必要が無く、従って多くのネクタイに共用でき、ネクタイの外観部分はもち論どこも傷つけること無く装着でき、仰向いた後のネクタイのたるみの発生やネクタイどめの姿勢や位置が変化することも無く、前傾姿勢時や横傾姿勢時に大剣側と小剣側が部分的にでも離れたりする事無く、さらにはネクタイとの一体化や後付け、ワイシャツとの一体化も可能な形もあるという特徴を有するネクタイどめが提供される。


【手続補正８】
【補正対象書類名】明細書
【補正対象項目名】図１０２
【補正方法】追加
【補正の内容】
【図１０２】
図９５のつなぎ部をループと着脱可能としたネクタイどめの平面図である。


【手続補正９】
【補正対象書類名】明細書
【補正対象項目名】図１０３
【補正方法】追加
【補正の内容】
【図１０３】
図１０２とネクタイを組合せた状態を示す大剣の裏面より見た平面図である。


【手続補正１０】
【補正対象書類名】図面
【補正対象項目名】図１０２
【補正方法】追加
【補正の内容】
【図１０２】
2004230133.tif 000104
【手続補正１１】
【補正対象書類名】図面
【補正対象項目名】図１０３
【補正方法】追加
【補正の内容】
【図１０３】
2004230133.tif 000105